(57)【要約】【課題】電線の接続状態を解除する際に鎖錠部が変形するのを防ぐ。【解決手段】解除釦６０は合成樹脂成型品からなり、操作部６１の一側面における一端から側方へ突出する駆動部６２と、前記側面における他端から側方へ突出する腕部６３と、腕部６３の先端から駆動部６２の方へ突出する押動突部６４とが一体に形成されている。解除釦６０の腕部６３先端に突設した押動突部６４で端子板４１の鎖錠部４４ａの先端を押圧するようにしているから、鎖錠片４４を鎖錠部４４ａから離れた位置で押圧する場合に比較して、電線の接続状態を解除する際に鎖錠部４４ａ（鎖錠片４４）が変形（塑性変形）するのを防ぐことができる。【選択図】        図１
2004178941.tif 000002
【特許請求の範囲】
【請求項１】
配線器具の器体に貫設した電線挿入孔を通して器体に導入される電線に接触する端子板と、電線と端子板を接続する接続手段と、接続手段による接続状態を解除する解除手段とを備え、接続手段は、端子板の方へ突出し端子板との間に挿入される電線を端子板に押圧する押圧部と、先端が電線の一部に食い込んで反挿入方向へ電線を抜け止めする鎖錠部とを有し、解除手段は、操作されたときに鎖錠部の先端を押動して電線から引き離す押動突部を有することを特徴とする速結端子装置。
【請求項２】
解除手段は、器体の表面に露出して手動操作される操作部並びに前記押動突部を有し、接続手段により電線が端子板に接続された接続状態のときの接続位置と電線が端子板に接続されていない非接続状態のときの非接続位置との間で移動自在に器体に配設される解除釦と、解除釦を接続位置から非接続位置に弾性付勢する付勢部材とを具備することを特徴とする請求項１記載の速結端子装置。
【請求項３】
解除釦は、一端側に押動突部が設けられ、他端側が支持されて揺動自在に器体に配設されたことを特徴とする請求項２記載の速結端子装置。
【請求項４】
解除釦の付勢部材が当接する部位を付勢部材による付勢向きにくぼませたことを特徴とする請求項２又は３記載の速結端子装置。
【請求項５】
押動突部が設けられた解除釦の一端側に操作部が設けられたことを特徴とする請求項２又は３又は４記載の速結端子装置。
【請求項６】
解除釦の操作部以外の部位であって器体の外に露出する部位に、配線器具が取り付けられる取付部材に対する逃げが設けられたことを特徴とする請求項２又は３又は４記載の速結端子装置。
【請求項７】
押動突部と係合して解除釦を仮止めする係合部が端子板に設けられたことを特徴とする請求項１〜６の何れかに記載の速結端子装置。
【請求項８】
押動突部を係合部へ係合する向き並びに係合部との係合が外れる向きに案内するガイド面が押動突部に設けられたことを特徴とする請求項７記載の速結端子装置。
【請求項９】
少なくとも電線挿入孔が開口する器体の一面から見たときに非接続位置の解除釦を視認可とし接続位置の解除釦を視認不可とする段差が器体に設けられたことを特徴とする請求項２記載の速結端子装置。
【請求項１０】
解除釦を複数の方向で移動自在としたことを特徴とする請求項３記載の速結端子装置。
【請求項１１】
解除釦の反操作方向への倒れを防ぐ倒れ防止手段を備えたことを特徴とする請求項１０記載の速結端子装置。
【請求項１２】
器体に収納される配線部材を逃がす逃がし部が解除釦に設けられたことを特徴とする請求項１０又は１１記載の速結端子装置。
【請求項１３】
解除釦は、鎖錠部の押動方向と直交する方向の両端部近傍をそれぞれ押動する複数の押動突部が設けられてなることを特徴とする請求項１記載の速結端子装置。
【請求項１４】
端子板を挟み込んで端子板に固定される固定部が付勢部材に設けられたことを特徴とする請求項２記載の速結端子装置。
【請求項１５】
それぞれに電線が接続される２つの端子板が一体に形成され、個々の端子板に対応する２つの解除釦を弾性付勢する２つの付勢部材を有し、個別に形成された付勢部材の固定部が固定される被固定部と、２つが一体に形成された付勢部材の固定部が固定される被固定部とが端子板に設けられたことを特徴とする請求項１４記載の速結端子装置。
【請求項１６】
施工面に設けられる埋込孔に後部を埋め込む形で配設される器体と、器体に収納される請求項１〜１５の何れかに記載された速結端子装置と、器体の側面に設けられ埋込孔の周りに設置される取付枠又は取付枠一体型のプレートに器体を取り付ける取付手段とを備えたことを特徴とする配線器具。
【請求項１７】
施工されるまでの間だけ器体の電線挿入孔に挿入されて解除釦を接続位置に固定する固定ピンを備えたことを特徴とする請求項１６記載の配線器具。
【発明の詳細な説明】
【０００１】
【発明の属する技術分野】
本発明は、スイッチやコンセントのような配線器具の器体に収納されて電線を接続する速結端子装置並びに配線器具に関するものである。
【０００２】
【従来の技術】
従来から、スイッチやコンセントのような配線器具において、器体に設けた電線挿入孔を通して器体に導入された電線を接続するために速結端子が広く用いられている。この種の速結端子としては、図６９に示すように、器体３００に収納され電線挿入孔３０１を通して器体３００に導入された電線１０１に接触する端子板３０２と、端子板３０２との間で電線を挟持する鎖錠ばね３０３とを備えるものが知られている（例えば、特許文献１参照）。鎖錠ばね３０３は板ばねであって、鎖錠ばね３０３に設けた接触片３０３ａおよび鎖錠片３０３ｂと端子板３０２との間に電線１０１を挟持することによって電線１０１を保持するように形成されている。つまり、器体３００に設けた電線挿入孔３０１を通して電線１０１を器体３００に導入すると、電線１０１が接触片３０３ａおよび鎖錠片３０３ｂを端子板３０２から引き離す向きに撓ませ、接触片３０３ａおよび鎖錠片３０３ｂに生じるばね力によって電線１０１が端子板３０２と鎖錠片３０３ｂとの間に挟持されるように構成されている。ここに、電線１０１が端子板３０２と接触片３０３ａおよび鎖錠片３０３ｂとの間に挟持された状態では、接触片３０３ａおよび鎖錠片３０３ｂの端縁が電線１０１に弾接し、電線１０１の一部に鎖錠片３０３ｂが食い込むことによって電線１０１の抜け止めがなされる。このように、電線１０１を電線挿入孔３０１に挿入するだけで端子板３０２に電線１０１が接触した状態で保持されるから、端子ねじを用いて電線１０１を接続する構造に比較すると電線１０１の結線作業が容易になる。
【０００３】
ところで、図７０に示すように器体３００の後壁には操作孔３０４が貫設され、この操作孔３０４の奥側における器体３００の内部に解除釦３０５が収納配置される。図７１に示すように、解除釦３０５は鎖錠ばね３０３の横に配置され、鎖錠ばね３０３の鎖錠片３０３ｂの後面側に当接する押し片３０５ａが側面から突出する形状を有する。操作孔３０４はマイナスドライバの先端部のような工具３１０が挿入可能となる形状を有し、工具２１０を操作孔３０４に挿入して解除釦３０５を前方に押圧すると、鎖錠片３０３ｂが押し片３０５ａから押圧力を受けることにより電線１０１から離れる向きに撓むようにしてある。したがって、電線１０１を接続した状態で操作孔３０４に工具を挿入して解除釦３０５を押圧すれば、鎖錠片３０３ｂが電線１０１から離れるように撓んで電線１０１の機械的保持が解除され、電線１０１を器体３００から引き抜くことが可能になる。
【０００４】
【特許文献１】
特開２００１−２１０３９３号公報（第４−６頁、第３図）
【０００５】
【発明が解決しようとする課題】
ところで、上記従来例では、鎖錠ばね３０３の鎖錠片３０３ｂが解除釦３０５の押し片３０５ａから押圧力を受ける位置が先端よりも接触片３０３ａ寄りにずれており、鎖錠片３０３ｂを撓ませるのに相対的に大きな押圧力が必要になるとともにその押圧力により鎖錠片３０３ｂが変形してしまう虞があった。
【０００６】
本発明は上記事情に鑑みて為されたものであり、その目的は、電線の接続状態を解除する際に鎖錠部が変形するのを防ぐことができる速結端子装置並びに配線器具を提供することにある。
【０００７】
【課題を解決するための手段】
請求項１の発明は、上記目的を達成するために、配線器具の器体に貫設した電線挿入孔を通して器体に導入される電線に接触する端子板と、電線と端子板を接続する接続手段と、接続手段による接続状態を解除する解除手段とを備え、接続手段は、端子板の方へ突出し端子板との間に挿入される電線を端子板に押圧する押圧部と、先端が電線の一部に食い込んで反挿入方向へ電線を抜け止めする鎖錠部とを有し、解除手段は、操作されたときに鎖錠部の先端を押動して電線から引き離す押動突部を有することを特徴とする。
【０００８】
請求項２の発明は、請求項１の発明において、解除手段は、器体の表面に露出して手動操作される操作部並びに前記押動突部を有し、接続手段により電線が端子板に接続された接続状態のときの接続位置と電線が端子板に接続されていない非接続状態のときの非接続位置との間で移動自在に器体に配設される解除釦と、解除釦を接続位置から非接続位置に弾性付勢する付勢部材とを具備することを特徴とする。
【０００９】
請求項３の発明は、請求項２の発明において、解除釦は、一端側に押動突部が設けられ、他端側が支持されて揺動自在に器体に配設されたことを特徴とする。
【００１０】
請求項４の発明は、請求項２又は３の発明において、解除釦の付勢部材が当接する部位を付勢部材による付勢向きにくぼませたことを特徴とする。
【００１１】
請求項５の発明は、請求項２又は３又は４の発明において、押動突部が設けられた解除釦の一端側に操作部が設けられたことを特徴とする。
【００１２】
請求項６の発明は、請求項２又は３又は４の発明において、解除釦の操作部以外の部位であって器体の外に露出する部位に、配線器具が取り付けられる取付部材に対する逃げが設けられたことを特徴とする。
【００１３】
請求項７の発明は、請求項１〜６の何れかの発明において、押動突部と係合して解除釦を仮止めする係合部が端子板に設けられたことを特徴とする。
【００１４】
請求項８の発明は、請求項７の発明において、押動突部を係合部へ係合する向き並びに係合部との係合が外れる向きに案内するガイド面が押動突部に設けられたことを特徴とする。
【００１５】
請求項９の発明は、請求項２の発明において、少なくとも電線挿入孔が開口する器体の一面から見たときに非接続位置の解除釦を視認可とし接続位置の解除釦を視認不可とする段差が器体に設けられたことを特徴とする。
【００１６】
請求項１０の発明は、請求項３の発明において、解除釦を複数の方向で移動自在としたことを特徴とする。
【００１７】
請求項１１の発明は、請求項１０の発明において、解除釦の反操作方向への倒れを防ぐ倒れ防止手段を備えたことを特徴とする。
【００１８】
請求項１２の発明は、請求項１０又は１１の発明において、器体に収納される配線部材を逃がす逃がし部が解除釦に設けられたことを特徴とする。
【００１９】
請求項１３の発明は、請求項１の発明において、解除釦は、鎖錠部の押動方向と直交する方向の両端部近傍をそれぞれ押動する複数の押動突部が設けられてなることを特徴とする。
【００２０】
請求項１４の発明は、請求項２の発明において、端子板を挟み込んで端子板に固定される固定部が付勢部材に設けられたことを特徴とする。
【００２１】
請求項１５の発明は、請求項１４の発明において、それぞれに電線が接続される２つの端子板が一体に形成され、個々の端子板に対応する２つの解除釦を弾性付勢する２つの付勢部材を有し、個別に形成された付勢部材の固定部が固定される被固定部と、２つが一体に形成された付勢部材の固定部が固定される被固定部とが端子板に設けられたことを特徴とする。
【００２２】
請求項１６の発明は、上記目的を達成するために、施工面に設けられる埋込孔に後部を埋め込む形で配設される器体と、器体に収納される請求項１〜１５の何れかに記載された速結端子装置と、器体の側面に設けられ埋込孔の周りに設置される取付枠又は取付枠一体型のプレートに器体を取り付ける取付手段とを備えたことを特徴とする。
【００２３】
請求項１７の発明は、請求項１６の発明において、施工されるまでの間だけ器体の電線挿入孔に挿入されて解除釦を接続位置に固定する固定ピンを備えたことを特徴とする。
【００２４】
【発明の実施の形態】
以下、本発明をコンセントに適用した実施形態について図面を参照して詳細に説明する。但し、配線器具はコンセントに限定されるものではなく、例えばスイッチなどのコンセント以外の配線器具にも本発明の技術思想が適用可能であることは言うまでもない。
【００２５】
（実施形態１）
図１〜図３に示すように、器体１は耐トラッキング性に優れた熱硬化性合成樹脂（例えば、ユリア樹脂）を用いて前面が開放された直方体状に形成されたボディ１０と、同じく耐トラッキング性に優れた熱硬化性合成樹脂（例えば、ユリア樹脂）を用いて後面が開放された直方体状に形成されたカバー２０とを結合することにより形成される。器体１は後述する規定の単位寸法を有している。
【００２６】
ボディ１０は長手方向の中間部に設けた仕切壁１２により内部空間が２分されている。また、後述するようにカバー２０内に収納される中枠１８０に仕切壁１８０ａが形成されており（図１１参照）、ボディ１０とカバー２０とを結合するとボディ１０の仕切壁１２とカバー２０内に収納された中枠１８０の仕切壁１８０ａとが突き合わされることによって器体１の内部空間が独立した２室に分割される。
【００２７】
ボディ１０内において仕切壁１２を介して形成された各収納室１３には、プラグの栓刃を受ける刃受３１がそれぞれ収納される。各刃受３１は、図７に示すように互いに対向する先端部にて栓刃を挟持する一対の刃受ばね３２と、両刃受ばね３２の一方の側面同士を連続一体に結合するコ字状の連結片３４と、連結片３４より突出し両刃受ばね３２の前記側面に対向する刃受ばね３３とを備える。また、連結片３４には円筒形の４つの突起３４ａが列設されており、各一対の突起３４ａにそれぞれ後述する端子板４１がかしめ固定される。
【００２８】
端子部４０は、端子板４１並びに解除釦６０で構成される。端子板４１は、図８（ａ）に示すように略Ｌ字形の主片４２と、主片４２の幅細の一端側から後方（図８（ｂ）における下方、以下同じ）へ垂下された接触片４３と、主片４２の幅太の他端側から後方へ垂下された略Ｊ字形の鎖錠片４４と、鎖錠片４４の側端縁から側方へ突出する固定片４５とを有し、弾性を有する帯状の金属板を加工して接触片４３の先端部と鎖錠片４４の先端部が交差するように折り曲げて一体に形成される。接触片４３にはほぼ平坦な面を有して電線に弾接する接触部４３ａと、電線の挿入方向に沿った接触部４３ａの両側において電線を押圧する一対の押圧部４３ｂ，４３ｃが設けられている。また、接触片４３に対して内側に位置する鎖錠片４４には、電線を接触部４３ａの方へ押圧するとともに電線の一部に食い込んで抜け止めする鎖錠部４４ａが先端に設けられ、鎖錠部４４ａよりも後方の部位に電線（接触片４２）から離れる向きに凸となる曲げ部４４ｂが設けられている。なお、図８（ｃ）に示すように接触片４３の幅寸歩は鎖錠片４４の幅寸法のおよそ半分に設定されている。さらに、固定片４５には刃受３１の連結片３４に列設されている一対の突起３４ａが挿通される挿通孔４５ａが貫設されており、これら一対の挿通孔４５ａに挿通した突起３４ａをかしめることで刃受３１の連結片３４に固定片４５が固定される。そして、一対の刃受ばね３２とそれぞれ隣り合うように連結片３４に固定された一対の端子板４１と刃受３１からなる刃受ブロック３０がボディ１０の各収納室１３に収納される。
【００２９】
ボディ１０の底壁には接触片４３と鎖錠片４４の間に電線を導入することができるように電線挿入孔１１が貫設されている。図１３に示すように、この電線挿入孔１１を通して接触片４３と鎖錠片４４の間に電線１０１を挿入すると、鎖錠片４４の鎖錠部４４ａが電線１０１に食い込むことによって電線１０１が引き抜けなくなるとともに鎖錠片４４のばね力によって電線１０１が接触片４３の接触部４３ａに弾接し、さらに電線１０１は一対の押圧部４３ｂ，４３ｃによって鎖錠片４４の方へ押圧され、鎖錠部４４ａと一対の押圧部４３ｂ，４３ｃの押圧力が均衡して電線１０１が狭持される。但し、主片４２に近い方の押圧部４３ｃは電線１０１と当接する面を面取りして接触面積を増やしてある。
【００３０】
ところで、従来例における端子部は端子板と鎖錠ばねからなる速結端子装置で構成されており、端子板がばね性を有しない金属材料で形成されていた。このため、図６９（ａ）に示すように電線１０１が端子板３０２ａ及び鎖錠ばね３０３に対して真っ直ぐに正規の状態で挿入された場合には端子板３０２ａと電線１０１の接触面積が十分に確保されるが、同図（ｂ）に示すように電線３０１が端子板３０２ａ及び鎖錠ばね３０３に対して傾いて挿入された場合には端子板３０２ａと電線１０１の接触面積が減少してしまう虞があった。これに対して本実施形態の端子部４０では、上述のように接触片４３の２つの押圧部４３ｂ，４３ｃ及び鎖錠片４４の鎖錠部４４ａで電線１０１を両側（互いに反対方向）から押圧しているため、例え電線１０１が傾いて挿入されたとしても接触片４３及び鎖錠片４４のばね力で電線１０１の傾きに追従して２つの押圧部４３ｂ，４３ｃによる押圧力と鎖錠部４４ａによる押圧力とを均衡させることができ、電線１０１の挿入状態に関わらず端子板４１と電線１０１の接続状態を安定させることができる。また、押圧部４３ｂ，４３ｃと鎖錠部４４ａで反対方向から電線１０１に押圧力を与えることにより、押圧力を接触片４３と鎖錠片４４でバランスよく分担することができ、接触片４３や鎖錠片４４のへたり等を抑えることができる。しかも本実施形態では、電線１０１を接続する接続手段たる接触部４３ａ、押圧部４３ｂ、４３ｃ並びに鎖錠部４４ａを弾性を有する金属板によって端子板４１と一体に形成しているから、従来のように端子板と鎖錠ばねの２つの部品を要するものに比較して部品点数並びに組立工数の削減によるコストダウンが図れるという利点もある。
【００３１】
ここで、本実施形態では端子板４１の鎖錠片４４に曲げ部４４ｂを設けているが、例えば、図１４（ａ）に示すように鎖錠片４４の長さを同じとして曲げ部４４ｂを設けずに鎖錠部４４ａの位置を同一にしようとすると鎖錠部４４ａの食い込み角度が小さくなってしまい電線への食い込みが弱くなってしまう。一方、鎖錠部４４ａの同一位置及び同一角度に配置しようとすれば、図１４（ｂ）に示すように鎖錠片４４の長さが短くなってばね性が低下しへたりが発生しやすくなってしまう。したがって、鎖錠片４４に曲げ部４４ｂを設けることでこのような不具合の発生が防止できることになり、鎖錠片４４のばね性を十分に確保すると同時に鎖錠部４４ａの電線に食い込む角度を大きくして電線を確実に抜け止めすることができる。
【００３２】
また、鎖錠片４４の鎖錠部４４ａが形成された先端部位をプレス等によりたたき加工すれば、図１５に示すように鎖錠部４４ａの厚みが若干薄くなるものの表面硬度が高くなって電線挿入に伴う削れを減少させて抜け止め性能の劣化を防ぐことができる。さらに、図１６に示すように鎖錠部４４ａの電線１０１に食い込む側の面をたたき加工すれば、鎖錠部４４ａに生じる段差によって電線１０１に接触する部位が増えて接続信頼性の向上が図れるという利点がある。また、本実施形態では主片４２に近い方の押圧部４３ｃが電線１０１と接触する面を面取りしているが、図１７に示すように電線１０１との接触面を面取りせずに押圧部４３ｃを電線１０１に食い込ませて抜け止めする構造とすれば、電線１０１をさらに確実に抜け止めすることができる。
【００３３】
ところで、図１８に示すようにボディ１０底面における電線挿入孔１１の近傍にストッパリブ１４を突設し、電線１０１が挿入された際に接触片４３の先端をストッパリブ１４に当てて接触片４３の撓み量を規制するようにすれば、接触片４３が過度に撓んで塑性変形するのを防ぐことができる。また、ストッパリブ１４の位置を、接触部４３ａの接触面が電線１０１の挿入方向と略平行となる位置で接触片４３の撓みを規制できる位置に設定すれば、図１８に示すようにストッパリブ１４で規制された状態で接触部４３ａと電線１０１の接触面積を最も大きく、すなわち、面接触させることができて接続信頼性の向上が図れるという利点がある。
【００３４】
また、本実施形態では接触片４３及び鎖錠片４４を端子板４１と一体に形成しているが、相対的に通電性が重視される接触片４３と、相対的にばね性が重視される鎖錠片４４とを別部材で構成してもよい。例えば、図１９に示すように主片４２及び接触片４３が一体に形成された第１の部材４１Ａと、鎖錠片４４が形成された第２の部材４１Ｂとを備え、主片４２に設けた突起４２ａを鎖錠片４４に設けた貫通孔４４ｃに貫通してかしめることにより第１及び第２の部材４１Ａ，４１Ｂを結合して端子板４１を構成すればよい。而して、接触片４３が形成される第１の部材４１Ａには通電性に優れる金属材料を使用し、鎖錠片４４が形成される第２の部材４１Ｂにはばね性に優れる金属材料を使用することができるから、両方の性能を満足する特殊で比較的に高価な材料を使用せずに一般的な材料が使用できてコストダウンが図れるという利点がある。
【００３５】
ところで、端子板４１とともに端子部４０を構成する解除釦６０が各収納室１３に配設される。この解除釦６０は合成樹脂成型品からなり、図１及び図９に示すように略Ｐ字形の操作部６１と、操作部６１の一側面における一端から側方へ突出する駆動部６２と、前記側面における他端から側方へ突出する腕部６３と、腕部６３の先端から駆動部６２の方へ突出する押動突部６４とが一体に形成されている。腕部６３は操作部６１の幅寸法よりも狭い幅寸法に形成されている（図９（ｃ）参照）。また駆動部６２は、腕部６３に比較して操作部６１からの突出量が大きくなっており、腕部６３と対向する内側面（図９（ｂ）における下面）には下方及び一側方に開放する凹所６２ａが形成されている。腕部６３と対向する凹所６２ａの底面には、先端から操作部６１に向かって徐々に腕部６３から遠ざかる向きに傾斜する傾斜面６２ｂが形成されている。なお、駆動部６２の先端部分の外側面（図９（ｂ）における上側面）には断面形状が略台形の突起６５が突設されている。
【００３６】
一方、ボディ１０の長手方向の両側面には、各収納室１３と通じる縦溝１５が各一対ずつ並設されており、この縦溝１５に操作部６１を挿通するようにして解除釦６０がボディ１０内の各収納室１３に配設される。ここで解除釦６０は、腕部６３が端子板４１の鎖錠片４４における接触片４３と対向しない部位に対向し、ボディ１０の電線挿入孔１１と駆動部６２の凹所６２ａとが対向し、且つ操作部６１が縦溝１５から進退自在に突出するように収納室１３内に移動自在に配置されている。なお、既に説明したように接触片４３の幅寸法を鎖錠片４４の幅寸法よりも狭くしているから、腕部６３と鎖錠片４４の対向面積を広くとることができるようになっている。また、操作部６１を縦溝１５から突出する向きに弾性付勢して解除釦６０を電線が接続されていないときの位置（非接続位置）に復帰させる復帰ばね７０が各収納室１３に収納されている。
【００３７】
復帰ばね７０は、図１０に示すように先端が略直角に折り曲げられ、後端部が略へ字形に折り曲げられたばね片７１と、ばね片７１の後端部の両側縁よりばね片７１の先端側へ突出する一対の固定部７２とが一体に形成されてなる。固定部７２は先端部が略Ｕ字形に湾曲し、図２０に示すように端子板４１の鎖錠片４４における主片４２近傍の部位に設けられた切り欠きからなる被固定部４６を挟み込んで復帰ばね７０を端子板４１に固定（仮固定）するものである。そして、端子板４１に復帰ばね７０を仮固定した刃受ブロック３０を収納室１３内に収納すると、ボディ１０内壁に端子板４１が当接してばね片７１の後端部が狭持され、復帰ばね７０が端子板４１に本固定される。さらに解除釦６０を収納室１３内に配設すれば、復帰ばね７０のばね片７１の先端部が解除釦６０の駆動部６２の先端にそれぞれ当接し、ばね片７１のばね力により、非接続位置（ボディ１０の縦溝１５から操作部６１が突出した位置）に復帰する向きに解除釦６０が弾性付勢される。なお、解除釦６０の器体１に対する抜け止めは、カバー２０の内壁面に駆動部６２を当接させることで行われる。
【００３８】
而して、電線挿入孔１１を通して端子板４１の接触片４３と鎖錠片４４の間に電線を挿入して端子部４０（端子板４１）に電線を接続すると、電線の先端が解除釦６０の駆動部６２の凹所６２ａに形成された傾斜面６２ｂに当接し、電線の挿入力（電線の挿入向きにはたらく力）によって、駆動部６２がカバー２０に近付く向き及び操作部６１が器体１内に進入する向きに解除釦６０が押駆動される。その結果、端子部４０に電線が接続された状態では、操作部６１の一部が器体１内部に引き込まれた位置（接続位置）まで移動することになる。つまり、解除釦６０の操作部６１が非接続位置と接続位置の間で移動自在となっており、操作部６１の位置（非接続位置又は接続位置）によって電線が端子板４１と接続されているか否かを確認することができるのである。また電線を接続する際、上述のように電線の挿入力によって解除釦６０がカバー２０に近付く向きに押し上げられるのであるが、解除釦６０の駆動部６２と対向するカバー２０の内底面には段差（図示せず）が形成されており、駆動部６２に設けた突起６５が当該段差を乗り越えるときに音（例えば、「カチッ」というような衝撃音）を発するので、その音によっても電線が端子板４１に接続されたことを確認することができるようになっている。
【００３９】
一方、端子部４０に接続されている電線を引き抜くには、縦溝１５を通して器体１の側面に露出している操作部６１を指で押操作すればよい。操作部６１を押操作して接続位置からさらに器体１内部に解除釦６０を移動させると、解除釦６０の腕部６３先端に突設されている押動突部６４で端子板４１の鎖錠部４４ａの先端を押圧することにより、電線に食い込んでいる鎖錠部４４を電線から離すように鎖錠片４４を撓ませて電線の引き抜きが可能となる。ここで、本実施形態では解除釦６０の腕部６３先端に突設した押動突部６４で鎖錠部４４ａの先端を押圧するようにしているから、鎖錠片４４を鎖錠部４４ａから離れた位置で押圧する場合に比較して、電線の接続状態を解除する際に鎖錠部４４ａ（鎖錠片４４）が変形（塑性変形）するのを防ぐことができる。
【００４０】
従来の速結端子装置では工具を使って解除釦を操作しながら電線を引き抜かなければならないため、一方の手で配線器具の器体を持ち、他方の手に持った工具を操作孔に挿入して解除釦を操作した状態では両手が塞がれてしまうために電線を電線挿入孔から引き抜くことが困難であった。これに対して本実施形態では、器体１を持った手の指（例えば、親指）で器体１の側面に露出する解除釦６０の操作部６１を押操作して電線に食い込んでいる鎖錠部４４ａを電線から離すことができ、一方の手で器体１の保持と解除釦６０の操作を同時に行い、他方の手で電線を引き抜くことができるため、従来の速結端子装置に比較して電線の取り外し作業が容易に行える。そして、電線を引き抜いた後に操作部６１の押操作を止めれば、復帰ばね７０のばね力によって解除釦６０が移動し、操作部６１が非接続位置に自動的に復帰するため、操作部６１を非接続位置に復帰させる手間が要らず何度でも電線を抜き差しすることができる。
【００４１】
ここで、解除釦６０は駆動部６２において器体１の縦溝１５から抜け止めされ、腕部６３の側ではフリーの状態であるから、抜け止め位置にある駆動部６２を支点として解除釦６０が揺動自在となっており、腕部６３の側でも抜け止めを行って平行移動のみ可能とした場合に比較して、非接続位置における解除釦６０の突出量を増やして視認性並びに操作性を高めることができる。また、図９に示すように解除釦６０の駆動部６２における復帰ばね７０のばね片７１先端が当接する面６２ｃを復帰ばね７０の付勢向きにくぼんだ形状としているので、図２１（ａ）に示すように前記当接面６２ｃが平坦な場合に比較して解除釦６０の移動量が同じでも復帰ばね７０の変位量を低減することができ、復帰ばね７０のへたりを軽減することができる（図２１（ｂ）参照）。
【００４２】
なお、本実施形態では復帰ばね７０に設けた固定部７２を端子板４１の被固定部４６に仮固定するようにしているが、図２２に示すように端子板４１に突設した突起４７を復帰ばね７０に設けた係止孔７３に挿入係止して仮固定する場合に比較して、刃受ブロック３０をボディ１０へ組み込む際に少々の衝撃が加わっても復帰ばね７０が端子板４１から脱落し難くなって作業性の向上が図れるという利点がある。
【００４３】
ところで、ボディ１０の長手方向両側面における縦溝１５の後端近傍の部位にボディ１０の長手方向に突出する一対の突部１６が突設されてボディ１０の側面との間に段差が形成されている。すなわち、接続位置において解除釦６０の操作部６１は器体１（ボディ１０）の側面から僅かに突出することになるが、上述のように突部１６を設けてボディ１０の側面との間に段差を形成しているため、電線挿入孔１１が開口する器体１（ボディ１０）の底面側から見たときに、図２３に示すように非接続位置にある解除釦６０の操作部６１が突部１６よりも外側に飛び出して見えるのに対し、接続位置にある解除釦６０の操作部６１は突部１６の陰に隠れて見えなくなり、器体１の底面から見たときの解除釦６０の視認可否によって電線の接続状態が容易に判別できるようになる。
【００４４】
ところで、カバー２０の前壁には一つのプラグに設けた一対の栓刃を挿入することができる差込部２４が１口分形成されている。差込部２４は各刃受３１の刃受ばね３２，３３に対応する部位にそれぞれ開口する挿入口２５よりなり、各挿入口２５は平板状の平型栓刃が差し込まれる平型栓刃挿入口２５ａと、丸ピン状のピン型栓刃が差し込まれるピン型栓刃挿入口２５ｂとを連通させた形状に形成されている。つまり、平型栓刃挿入口２５ａは矩形状であって、長手方向の中間部の一側縁に円状のピン型栓刃挿入口２５ｂが連通した形状になっている。また、平型栓刃挿入口２５ａの中心間の距離よりも、ピン型栓刃挿入口２５ｂの中心間の距離の方が広くなっている。平型栓刃挿入口２５ａに挿入される平型栓刃は刃受ばね３２の側面と刃受ばね３３との間で挟持され、ピン型栓刃挿入口２５ｂに挿入されるピン型栓刃は一対の刃受ばね３２の間で挟持される。
【００４５】
次に、ボディ１０とカバー２０を結合して器体１を組み立てる構造について説明する。すなわち、本実施形態においては、ボディ１０とカバー２０との双方に設けた嵌合部６，７に組立部材５０を凹凸嵌合することでボディ１０とカバー２０とを結合して器体１を組み立てるようになっている。
【００４６】
ボディ１０の長手方向に対向する両側面には、図４に示すように一対の縦溝１５に挟まれた中央部に矩形の嵌合部６が突設され、さらに嵌合部６の前方（図４（ｄ）における上方）には凹溝８が形成されている。一方、カバー２０の長手方向の両側面には、図５に示すようボディ１０の縦溝１５と連通する一対の挿通溝２１が設けられるとともに挿通溝２１に挟まれた中央部からボディ１０の嵌合部６と同形状且つ同寸法の嵌合部７が突設されている。そして、ボディ１０の開口面にカバー２０を突き合わせた状態では、それぞれの嵌合部６，７が凹溝８を挟んで一列に配置されることになる。
【００４７】
組立部材５０は弾性を有する合成樹脂成型品からなり、図６に示すように嵌合部６，７と各々嵌合する嵌合孔５１，５１が器体１の前後方向（図１における上下方向）に並設された短冊状の縦片５２と、縦片５２の先端に中央部が連結された短冊状の横片５３とを有する略Ｔ字形に形成され、器体１と対向する縦片５２の背面側において嵌合孔５１に挟まれた略中央部からは先端に係止爪５４ａを有する係止突片５４が背方へ突設されている。また、横片５３の側面には、埋込型の配線器具を造営面に埋込配設するための取付枠、又は配線器具の取付構造を有したフラッシプレート（以下、単に「プレート」という）が具備する係合孔と係合して器体１を取付枠に取り付ける一対の取付部（取付爪）５５が突設されている。
【００４８】
一方、カバー２０には、ボディ１０の凹溝８から挿入される組立部材５０の係止突片５４先端部に設けた係止爪５４ａが係止する被係止部２６が長手方向両端部近傍の背面側に形成されている（図５（ｄ）参照）。なお、カバー２０の背面側における嵌合部７近傍には後方に向かうにつれて内側に傾斜して係止爪５４ａを被係止部２６に案内するガイド面２７が形成されている。
【００４９】
而して、ボディ１０とカバー２０とを結合して器体１を組み立てるには、図２４（ａ）に示すようにボディ１０とカバー２０を開口面側で突き合わせた状態で係止突片５４を凹溝８に挿入するように組立部材５０を器体１の長手方向に対向する両側面の方へ押しつければ、図２４（ｂ）に示すように組立部材５０の各嵌合孔５１にボディ１０及びカバー２０の嵌合部６，７がそれぞれ嵌合してボディ１０とカバー２０とが結合されると同時に、係止突片５４の先端に設けた係止爪５４ａがカバー２０のガイド面２７に沿うように係止突片５４が後方（ボディ１０側）に撓み、やがて係止爪５４ａがカバー２０の被係止部２６に係止することによって、組立部材５０の嵌合部６，７からの脱落が防止できる。なお、係止突片５４をスムーズに後方に撓ませるために、図２４に示すようにボディ１０のガイド面２７と対向する位置にガイド面２７と略平行に傾斜する傾斜面１０ａを設けることが望ましい。
【００５０】
このように合成樹脂製の組立部材５０を用いてボディ１０とカバー２０とを結合しているから、金属製の組立枠を用いる場合のように組立枠と充電部（刃受ブロック３０）との絶縁距離による設計上の制約が減少し、器体１を形成する材料の選択や器体１の厚み寸法等の設計の自由度が高くなるという利点がある。また、本実施形態ではボディ１０の嵌合部６とカバー２０の嵌合部７をそれぞれ組立部材５０の一対の嵌合孔５１に個別に嵌合しているから、ボディ１０及びカバー２０の嵌合部を同じ嵌合孔に嵌合させる場合に比較してそれぞれの嵌合部６，７の寸法誤差による組立部材５０のがたつきを抑えてボディ１０とカバー２０を強固に結合することができる。また、係止突片５４を組立部材５０の縦片５２における嵌合孔５１に挟まれた部位に設けることで組立部材５０を小型化している。なお、図２５に示すように被係止部２６やガイド面２７をボディ１０に設け、組立部材５０の係止突片５４に設ける係止爪５４ａの向きを逆としても構わない。
【００５１】
ところで、カバー２０の内部には一対の扉１６０，１６０と一対の板ばね１７０，１７０、そして中枠１８０が納められる。中枠１８０は、図１１に示すように一対の貫通孔１８１，１８１と、この貫通孔１８１，１８１の間に位置する溝１８２とを備えたもので、カバー２０内壁に設けられた突起（図示せず）との係合でカバー２０に仮止めすることができるものとなっている。そして、一対の扉１６０，１６０と一対の板ばね１７０，１７０とは中枠１８０とカバー２０の内面との間に配設される。
【００５２】
同形のものとして形成されている一対の扉１６０は、図１２に示すように両側に張り出す翼片１６１，１６１を備え、各翼片１６１，１６１にはそれぞれ傾斜角度が異なる一対の傾斜面１６２，１６３が並設されている。この扉１６０，１６０は、翼片１６１，１６１に挟まれた中央部１６４が中枠１８０の溝１８２に納められるとともに、その外面側とカバー２０の内壁との間に板ばね１７０，１７０が配された状態でカバー２０内に納められ、板ばね１７０，１７０による付勢で両扉１６０，１６０は相互に接する状態となる。
【００５３】
中枠１８０及び扉１６０，１６０を納めたカバー２０を組立部材５０を用いてボディ１０と結合するのであるが、ボディ１０とカバー２０とを組立部材５０で結合して器体１を組み立てた時、中枠１８０の貫通孔１８１内に刃受ブロック３０の刃受３１が位置するとともに、中枠１８０の仕切壁１８０ａがボディ１０の仕切壁１２と係合して、両刃受３１間を分離している。そして、扉１６０，１６０はカバー２０の挿入口２５と刃受３１との間に位置する。
【００５４】
すなわち、一方の扉１６０の翼片１６１は他方の扉１６０の翼片１６１に少し被さることで隙間が両扉１６０，１６０間に生ずることがない状態で両扉１６０，１６０が板ばね１７０，１７０による付勢で接触しているのであるが、このように閉じた扉１６０，１６０が挿入口２５と刃受３１との間に位置して、挿入口２５の奥に位置する刃受３１を隠すことになる。
【００５５】
この状態で、プラグの栓刃を両挿入口２５に差し込めば、各栓刃は扉１６０，１６０の翼片１６１，１６１の傾斜面１６２（又は１６３）を押すことで、扉１６０を板ばね１７０に抗して動かして、両扉１６０，１６０の間を広げるものであり、このために栓刃が刃受３１に差し込まれる。プラグを抜けば、両扉１６０，１６０は板ばね１７０，１７０による付勢で復帰して再度挿入口２５を閉じる状態となる。
【００５６】
上述のように構成される本実施形態のコンセントを壁面などの造営面に施工するには、図２６及び図２７に示すプレート１００を用いる。プレート１００は、器体１を保持するプレート枠１１０と、プレート枠１１０を覆って見栄えよく施工する化粧プレート１２０とからなる。合成樹脂製のプレート枠１１０は絶縁性を有し、一対の枠片１１３ａ，１１３ｂの左端部同士および右端部同士をそれぞれ横片１１２で連続一体に結合することによって、器体１の前面を露出させる長方形状の開口窓１１１を中央部に備えた縦長の矩形枠状に形成されている。開口窓１１１の長手方向に沿った両側縁の後面側にはそれぞれ帯板状の固定梁部１１４と可動梁部１１５とが互いに対向する形で設けてある。
【００５７】
可動梁部１１５は、長手方向の両端部で可動梁部１１５の長手方向に延長された連結部１１６を介して枠片１１３ｂに連続一体に連結され、中間部の２箇所が可動梁部１１５に直交する方向のブリッジ部１１７を介して枠片１１３ｂに連続一体に連結されている。また、各連結部１１６と各ブリッジ部１１７との間および両ブリッジ部１１７の間の部位は表裏に貫通するスリット１１８ａ〜１１８ｃとなっている。プレート枠１１０を形成する合成樹脂は可撓性を有し、可動梁部１１５および連結部１１６が可撓になっている。両側のスリット１１８ａ，１１８ｃはＬ字形に形成され、中間部のスリット１１８ｂは一直線上に形成されている。枠片１１３ｂにおいて各ブリッジ部１１７の近傍には、ブリッジ部１１７に対応する部位でも可動梁部１１５が可撓となるように、表裏に貫通する長孔状の溝１１９をそれぞれ設けてある。
【００５８】
一方、固定梁部１１４および可動梁部１１５において開口窓１１１に臨む一面には、組立部材５０に各一対ずつ突設された取付爪５５と凹凸係合する保持部としての６個の保持溝１１４ａ，１１５ａ（図２６参照）が等ピッチで設けられる。したがって、取付部材５０に設けた取付爪５５を各保持溝１１４ａ，１１５ａに凹凸係合させると、器体１の前面を開口窓１１１から露出させた形でプレート枠１１０に器体１を取着することができる。また、器体１がプレート枠１１０から前方に抜け落ちないように、固定梁部１１４及び可動梁部１１５の基部には組立部材５０の横片５３前面に当接する当接部１１４ｄ，１１５ｄが形成されている。つまり、組立部材５０の横片５３前面が当接部１１４ｄ，１１５ｄ（図２８参照）に当接し、取付爪５５の後面が保持溝１１４ａ，１１５ａに係止されることによって、器体１がプレート枠１１０に取着される。
【００５９】
ここで、固定梁部１１４と可動梁部１１５との開口窓１１１に臨む一面における各先端部分には、器体１の取付爪５５をプレート枠１１０の後面側から保持溝１１４ａ，１１５ａに導入する際に、各取付爪５５を保持溝１１４ａ，１１５ａに誘導するために、先端側ほど互いの距離を広げるように傾斜した傾斜面となった誘導部１１４ｂ，１１５ｂが設けてある。すなわち、図２８（ａ）〜（ｃ）に示すようにプレート枠１１０に器体１を取り付けるには、器体１の一側面に嵌合した組立部材５０の取付爪５５を固定梁部１１４の保持溝１１４ａに係合させておき、器体１の前端部を開口窓１１１にほぼ一致させて器体１をプレート枠１１０に対して前方に押し込むと、器体１の他側面に嵌合した組立部材５０の取付爪５５が可動梁部１１５を撓ませながら傾斜面５４ａと誘導部１１５ｂとによって保持溝１１５ａに追い込まれ、取付爪５５を保持溝１１５ａに容易に係合させることができる。
【００６０】
一方、固定梁部１１４の基部には隣接する各一対の保持溝１１４ａの間でプレート枠１１０の表裏に貫通する器具外し孔１１４ｃが穿設してあって、器体１をプレート枠１１０に取着した状態で、ドライバや取外し専用の治具等の先端部分を器具外し孔１１４ｃに挿入し、治具の先端部分で器体１を可動梁部１１５側へ押すと梃子の原理によってわずかな力で可動梁部１１５を撓ませることができ、固定梁部１１４側の保持溝１１４ａと器体１の取付爪５５との係合状態を解除してプレート枠１１０から器体１を取り外すことができるようになっている。
【００６１】
ところで、上述したように、プレート枠１１０は固定梁部１１４と可動梁部１１５とにそれぞれ３対の保持溝１１４ａ，１１５ａを有し、器体１の上下両側面に嵌合した組立部材５０に一対ずつの取付爪５５が形成されているから、上述の器体１をプレート枠１１０に３個まで取り付けることが可能である。つまり、プレート枠１１０は３個用であって、３個用のプレート枠１１０に最大３個まで取り付けることができるように取付寸法を設定した器体１を単位寸法（以下、「１個モジュール」と呼ぶ）の器体１と呼ぶことにする。このように、器体１とプレート枠１１０との相対的な取付寸法を規定しておくことによって、プレート枠１１０には１〜３個の範囲の任意個数の器体１を取り付けることが可能になる。固定梁部１１４および可動梁部１１５に設けた各保持溝１１４ａ，１１５ａのピッチは１個モジュールの器体１の側面に突設されている取付爪５５のピッチと等しく、かつ上述のように各保持溝１１４ａ，１１５ａは等間隔であるから、１個モジュールの器体１であれば固定梁部１１４および可動梁部１１５の隣接する任意の２個の保持溝１１４ａ，１１５ａを用いてプレート枠１１０に取着することができる。
【００６２】
ところで、プレート枠１１０の各横片１１２の中間部前面にはそれぞれ凹所１３１が形成してある。各凹所１３１には、プレート枠１１０を埋込ボックスに取り付けるためのボックスねじを挿通する長孔状のボックス用孔１３２と、プレート枠１１０を壁面等の施工面に直付けするためのねじが挿通されるねじ挿通孔１３３と、施工面を形成する壁パネル等に取り付ける際に使用するはさみ金具（図示せず）を係止するはさみ金具係止孔１３４とが設けてある。
【００６３】
また、プレート枠１１０の４隅には、化粧プレート１２０の後面から突設した係止突起１２３を係止する化粧プレート係止孔１３５が設けてあり、化粧プレート係止孔１３５に係止突起１２３を挿入係止することでプレート枠１１０の前面を覆う形で化粧プレート１２０を着脱自在に取り付けることができるようになっている。
【００６４】
化粧プレート１２０は、絶縁性を有する合成樹脂を用いて形成されたものであって、プレート枠１１０の前面を覆う矩形状の主部１２１と、主部１２１の周縁から全周に亙って後方に突出する側壁１２２とを連続一体に形成した略箱形に形成される。係止突起１２３は主部１２１の後面側の４隅に突設してある。また、主部１２１の中央部には、プレート枠１１０に取り付けた器体１の前面を露出させる開口窓１２１ａが設けてある。
【００６５】
化粧プレート１２０の側壁１２２のうちの各対向面間の距離は、それぞれプレート枠１１０の対応する部位の幅寸法よりも大きくしてある。すなわち、施工面に配設したプレート枠１１０の前面側に化粧プレート１２０を取着したとき、プレート枠１１０が化粧プレート１２０の内側に収まり、化粧プレート１２０の側壁１２２の先端縁が施工面にほぼ当接する。その結果、プレート枠１１０と化粧プレート１２０との突き合わせ面が施工面よりも前方へ出ることがなく、両者の突き合わせの線が側面からはほとんど見えなくなり外観が向上する。また、化粧プレート１２０の側壁１２２の内側面には、プレート枠１１０の側面に当接してプレート枠１１０に対する化粧プレート１２０の位置ずれを防止する規制リブ１２４を複数列設している。
【００６６】
ところで、プレート枠１１０の両枠片１１３ａ，１１３ｂの外側面には、後方ほど外側に突出するように傾斜する傾斜面１１３ｃと、傾斜面１１３ｃに連続して外側に張り出した張出部１１３ｄとが形成されている。さらに、化粧プレート１２０の上下の側壁１２２の内側面には後端面が張出部１１３ｄの前面に当接するリブ１２５が突設され、このリブ１２５によって化粧プレート１２０のがたつきが防止される。プレート枠１１０に化粧プレート１２０を取り付けるときには、化粧プレート１２０の規制リブ１２４がプレート枠１１０の枠片１１３ａ，１１３ｂに形成した傾斜面１１３ｃに案内されるから、取り付けが容易である。
【００６７】
化粧プレート１２０の上下の一方の側壁１２２には一対の切欠部１２６が設けてあり、この切欠部１２６に治具（マイナスドライバの先端部など）を差し込んで化粧プレート１２０をプレート枠１１０から離す向き（前向き）の力を作用させると、化粧プレート１２０の係止突起１２３とプレート枠１１０の化粧プレート係止孔１３５との係合状態が解除され、化粧プレート１２０をプレート枠１１０から取り外すことができる。プレート枠１１０の枠片１１３ｂにおいて切欠部１２６に対応する位置には傾斜面１１３ｃよりも内側へ窪んだ逃がし部１３６が設けてあり、切欠部１２６に差し込まれた治具を逃がして奥まで挿入できるようにしてあり、化粧プレート１２０を取り外す際に力を作用させやすくしてある。さらに、逃がし部１３６の後面側端部からは張出部１１３ｄよりも薄肉のリブ１３７が、化粧プレート１２０の切欠部１２６から突出しない程度まで延設してある。すなわち、切欠部１２６に差し込んだ治具に施工面に当接する部分を支点として力を加えることで施工面に傷が付くおそれがあるが、リブ１３７を設けていることで切欠部１２６に差し込んだ治具がリブ１３７に当接し、化粧プレート１２０をプレート枠１１０から取り外す際に治具によって施工面に傷が付くのを防ぐことができる。
【００６８】
化粧プレート１２０の後面側には、プレート枠１１０に取着したときにプレート枠１１０に設けた３つのスリット１１８ａ〜１１８ｃにそれぞれ嵌入される突条片１２８ａ〜１２８ｃが列設してある。ここで、各突条片１２８ａ〜１２８ｃの寸法は、プレート枠１１０の各スリット１１８ａ〜１１８ｃに嵌入された状態で、スリット１１８ａ〜１１８ｃの内周面と各突条片１２８ａ〜１２８ｃとの間にわずかな隙間しか生じないような寸法に設定してある。すなわち、器体１を取り付けたプレート枠１１０に化粧プレート１２０を取着した状態では、３つの突条片１２８ａ〜１２８ｃがプレート枠１１０の各スリット１１８ａ〜１１８ｃに嵌入され、スリット１１８ａ〜１１８ｃの内周面と各突条片１２８ａ〜１２８ｃとの間にはわずかな隙間しか生じないことから、プレート枠１１０の可動梁部１１５の動き（撓み）が規制されることになる。その結果、コンセントに差し込まれたプラグを異常に大きな力で引き抜く等の衝撃が加えられた場合でも、上述のように可動梁部１１５の動きが規制されているために器体１の取付爪２と可動梁部１１５および固定梁部１１４の保持溝１１５ａ，１１４ａとの係止が外れにくいのである。
【００６９】
（実施形態２）
実施形態１は、平行平型栓刃を有する所謂Ａタイプのプラグと平行ピン型栓刃を有する所謂ＢＳタイプのプラグの双方が接続可能なタイプ（所謂ユニバーサルタイプ）の差込部２４を１個モジュールの器体１に備えるものであったが、本実施形態は、図２９〜図３１に示すように実施形態１と同じユニバーサルタイプの差込部２４と、所謂Ｏ（オウ）タイプの接地極付きプラグが接続される差込部２４’とを３個モジュール（つまり、１個モジュールの３倍の取付寸法）の器体１に備えている。Ｏタイプの差込部２４’は接地極を含む３つの平型栓刃が挿入される３個の平型栓刃挿入口２５ａ’，２５ａ’，２５ｂ’を有し、接地極の平型栓刃が挿入される平型栓刃挿入口２５ｂ’の両側に残り（電圧極）の平型栓刃挿入口２５ａ’，２５ａ’が逆ハ字形に配置されている。
【００７０】
図３２に示すように、ボディ１０の内部は長手方向に沿って設けられた複数の仕切壁１２により内部空間が３分されており、後述するようにカバー２０内に収納される中枠２６０でボディ１０の前面が覆われることによって器体１の内部空間が独立した３室（収納室１３ａ，１３ｂ，１３ｃ）に分割される。また、両端の収納室１３ａ，１３ｂはスリット１２ａを有した一対の仕切壁１２ｂによりさらにボディ１０の長手方向に沿って３室に分割されている。
【００７１】
ボディ１０内において両端の収納室１３ａ，１３ｂには電圧極用の栓刃ブロック３０Ａ，３０Ｂがそれぞれ収納される。栓刃ブロック３０Ａ，３０Ｂは、ユニバーサルタイプの差込部２４に対応する刃受３１Ａと、Ｏタイプの差込部２４’の電圧極に対応する刃受３１Ｂとが端子板４１の両側に結合されて構成される。但し、一方の収納室１３ａに収納される栓刃ブロック３０Ａと、他方の収納室１３ｂに収納される栓刃ブロック３０Ｂとは鏡像の関係にあるので栓刃ブロック３０Ａについてのみ説明する。
【００７２】
ユニバーサルタイプの刃受３１Ａは実施形態１における刃受３１とほぼ共通の構造を有しており、図３５に示すように互いに対向する先端部にて栓刃を挟持する一対の刃受ばね３２と、両刃受ばね３２の一方の側面同士を連続一体に結合するコ字状の連結片３４と、連結片３４より突出し両刃受ばね３２の前記側面に対向する刃受ばね３３とを備える。また、一方の刃受ばね３２の基端側の側縁からは略鈎形の脚片３５が延設され、脚片３５の先端には一対のかしめ用突起３６ａが列設された結合片３６が設けてある。
【００７３】
Ｏタイプの電圧極用の刃受３１Ｂは、図３６に示すように互いに対向する先端部にて栓刃を挟持する一対の刃受ばね３２と、両刃受ばね３２の一方の側面同士を連続一体に結合するコ字状の連結片３４と、一方の刃受ばね３２の基端側の側縁から延設される帯状の脚片３５と、一対のかしめ用突起３６ａが列設されて脚片３５の先端に設けられる結合片３６とを備える。
【００７４】
端子板４１は、図３７に示すように略Ｔ字形の主片４２と、主片４２の幅細の一端側における両側縁から後方へ垂下された一対の接触片４３と、主片４２の幅太の他端側における両側縁から後方へ垂下された略Ｊ字形の一対の鎖錠片４４と、両鎖錠片４４の側端縁からそれぞれ側方へ突出する固定片（結合部）４５とを有し、弾性を有する帯状の金属板を加工して接触片４３の先端部と鎖錠片４４の先端部がそれぞれ交差するように折り曲げて一体に形成される。すなわち、本実施形態における端子板４１は、実施形態１における２つの端子板４１（各端子板４１は鏡像の関係にある）を互いの主片４２で連結した形状となっており、接触片４３には接触部４３ａと一対の押圧部４３ｂ，４３ｃが設けられ、鎖錠片４４には鎖錠部４４ａと曲げ部４４ｂが設けられている。なお、本実施形態における端子板４１も実施形態１のものと同様に接触片４３の幅寸法を鎖錠片４４の幅寸法よりも狭く（およそ半分）に設定することで解除釦６０による解除操作のスペースを確保している。さらに、固定片４５には刃受３１Ａ，３１Ｂの結合片３６に列設されている一対のかしめ用突起３６ａが挿通される挿通孔４５ａが貫設されており、これら一対の挿通孔４５ａに挿通したかしめ用突起３６ａをかしめることで一方の固定片４５に刃受３１Ａの結合片３６が固定されるとともに他方の固定片４５に刃受３１Ｂの結合片３６が固定されて刃受ブロック３０Ａが構成される。このように本実施形態では、端子板４１を介して電線と導通する部品であり且つ配線器具の種類に応じた固有の部品（本実施形態では刃受３１Ａ，３１Ｂ）を結合するための結合部（固定片４５）を端子板４１に設けているので、上記固有部品がコンセント以外の配線器具の部品であっても端子板４１を共通に使用することができてコストダウンが図れる。なお、固定片４５と結合片３６との結合方法は上述のかしめに限定されるものではなく、接着や溶接等の種々の結合方法に対応可能である。
【００７５】
而して、上述のように構成される電圧極用の刃受ブロック３０Ａ，３０Ｂは、図３４に示すように各刃受３１Ａ，３１Ｂを長手方向両端の区画にそれぞれ収納し、端子板４１を長手方向中央の区画に収納するようにしてボディ１０両端の収納室１３ａ，１３ｂに納められる。
【００７６】
一方、ボディ１０内において中央の収納室１３ｃにはＯタイプの接地極用の栓刃ブロック３０Ｃが収納される。接地極用の栓刃ブロック３０Ｃは、Ｏタイプの差込部２４’に対応する接地極の刃受３１Ｃが端子板４１’に結合されて構成される。
【００７７】
Ｏタイプの接地極用の刃受３１Ｃは、図３８に示すように互いに対向する先端部にて栓刃を挟持する一対の刃受ばね３２と、両刃受ばね３２の後端縁を連続一体に結合する連結片３４と、連結片３４の側縁から延設され略鈎形に折曲された帯状の脚片３５と、かしめ用突起３６ａ並びに位置決め用孔３６ｂが列設されて脚片３５の先端に設けられる結合片３６とを備える。
【００７８】
端子板４１’は電圧極用の端子板４１から固定片４５を除いた形状にほぼ等しく、図３９に示すように主片４２と、一対の接触片４３並びに鎖錠片４４とを備え、接触片４３には接触部４３ａと一対の押圧部４３ｂ，４３ｃが設けられるとともに、鎖錠片４４には鎖錠部４４ａと曲げ部４４ｂが設けられている。また、主片４２には刃受３１Ｃの結合片３６に設けられたかしめ用突起３６ａが挿通されるかしめ用孔４２ａが貫設されるとともに、位置決め用孔３６ｂに嵌合する位置決め突起４２ｂが突設されている。
【００７９】
したがって、刃受３１Ｃの結合片３６に貫設されている位置決め用孔３６ｂに端子板４１’の主片４２に突設されている位置決め突起４２ｂを嵌合して端子板４１’と刃受３１Ｃを位置決めするとともに、結合片３６に突設されているかしめ用突起３６ａを主片４２に貫設されているかしめ用孔４２ａに挿通してかしめることで端子板４１’の主片４２と刃受３１Ｃの結合片３６が結合されて刃受ブロック３０Ｃが構成される。
【００８０】
而して、上述のように構成される接地極用の刃受ブロック３０Ｃは、図３４で示すように刃受３１Ｃを図中下側にしてボディ１０中央の収納室１３ｃに納められる。ここで、図４０（ｂ）に示すように端子板４１の主片４２にかしめ用及び位置決め用の２つの孔４２ｂを列設する構造では、孔４２ｂを設けるための加工用の凹部同士の間隔が非常に狭くなって主片４２の強度が低下してしまう虞があり、強度を確保するためには主片４２の寸法を大きくしなければならない。これに対して本実施形態では、かしめ用突起３６ａと位置決め用孔３６ｂを刃受３１Ｃの結合片３６に設け、かしめ用孔４２ａ及び位置決め用突起４２ｂを端子板４１の主片４２に設けているので、かしめ用孔４２ａと位置決め用突起４２ｂの間隔が広くとれて主片４２を大型化することなく強度低下を防ぐことができる（図４０（ａ）参照）。
【００８１】
なお、本実施形態では別体に形成された端子板４１と刃受３１Ａ，３１Ｂを結合して刃受ブロック３０Ａ，３０Ｂを構成しているが、図４１に示すように刃受３１Ａ，３１Ｂと端子板４１を金属部材を加工して一体に形成すれば、かしめ等の結合作業が不要となる利点がある。ここで、刃受３１Ａ，３１Ｂの構造として、例えば、図４１に示すように一対の刃受ばね３２をその後端縁、すなわち栓刃の差込方向において栓刃の先端に連結片３４が対向するように連結する構造や、図４２（ｂ）及び（ｃ）に示すように一対の刃受ばね３２をその側端縁、すなわち連結片３４が栓刃の差込方向に沿うように連結する構造が考えられるが、前者の構造では後者の構造に比較して刃受ばね３２のばね性において優れ、後者の構造では前者の構造に比較して金属部材から打ち抜き加工する際の所謂板取りにおいて優れており、必要な性能に鑑みて何れかの構造を適宜選択して組み合わせればよい。また、図４２（ａ）に示すように前者の構造においてユニバーサルタイプの刃受３１Ａの刃受ばね３３を片方の刃受ばね３２の側端縁に連結する構造としてもよい。
【００８２】
図３２に示すように、ボディ１０の底壁の長手方向略中央にはそれぞれ３つの収納室１３ａ，１３ｂ，１３ｃに連通する各一対の電線挿入孔１１が貫設されており、電線挿入孔１１を通して接触片４３と鎖錠片４４の間に電線を挿入すれば、実施形態１で説明したように鎖錠片４４の鎖錠部４４ａが電線に食い込んで抜け止めされるとともに鎖錠片４４のばね力によって電線が接触片４３の接触部４３ａに弾接し、さらに一対の押圧部４３ｂ，４３ｃによって鎖錠片４４の方へ電線が押圧され、鎖錠部４４ａと一対の押圧部４３ｂ，４３ｃの押圧力が均衡して電線が狭持される。
【００８３】
ここで、端子板４１，４１’においては各一対の接触片４３及び鎖錠片４４が主片４２の両端に離間して設けられており、これに対応して各一対の電線挿入孔１１も所定の距離だけ離して設けられている。したがって、送り配線のために各端子板４１，４１’に２本の電線を接続する際、隣り合う２つの電線挿入孔１１が離れているから電線を１本ずつ確実に接続することができるものである。これに対して、図４３に示すように２つの接触片４３を端子板４１，４１’の中央部に近接して配置し、図４４に示すように２つの接触片４３に対応する２つの電線挿入孔１１を部分的に連通させてボディ１０に設けるようにすれば、端子板４１，４１’に２本の電線を一緒に各電線挿通孔１１に挿入して同時に接続することができるという利点がある。
【００８４】
ところで、本実施形態においては、端子板４１とともに電圧極用の端子部４０を構成する解除釦８０と、端子板４１’とともに接地極用の端子部４０を構成する解除釦２００とは異なる形状に形成されている。但し、後述するように隣り合って配置される解除釦８０又は２００同士は鏡像の関係にあり、以下では一方の形状についてだけ説明する。
【００８５】
電圧極用の解除釦８０は合成樹脂成型品からなり、図４５に示すように角柱状の操作部８１と、操作部８１の一端側から操作部８１の長手方向に延長され且つ操作部８１の短手方向に突出する駆動部８２と、操作部８１の他端部近傍から駆動部８２と同一方向に突出する腕部８３とが一体に形成されている。腕部８３は操作部８１の幅寸法よりも小さい幅寸法に形成されており、その先端には駆動部８２の方へ突出する押動突部８４が一体に形成されている。また、駆動部８２は腕部８３に比較して操作部８１からの突出量が大きくなっており、腕部８３と対向する内側面には下方及び一側面に開放する凹所８２ａが形成されている。腕部８３と対向する凹所８２ａの底面には、先端から操作部８１に向かって徐々に腕部８３から遠ざかる向きに傾斜する傾斜面８２ｂが形成されている。なお、駆動部８２の先端部分の外側面には腕部８３と反対側に突出する位置決め部８５が突設されている。
【００８６】
一方、ボディ１０の短手方向の両側面には、各収納室１３ａ，１３ｂと通じる縦溝１５が各一対ずつ並設されており、この縦溝１５に操作部８１を挿通するようにして解除釦８０がボディ１０内の各収納室１３ａ，１３ｂにおいて端子板４１に対向して配設される（図３４参照）。ここで解除釦８０は、腕部８３が端子板４１の鎖錠片４４における接触片４３と対向しない部位に対向し、ボディ１０の電線挿入孔１１と駆動部８２の凹所８２ａとが対向し、且つ操作部８１が縦溝１５から進退自在に突出するように収納室１３ａ，１３ｂ内に移動自在に配置されている。なお、既に説明したように接触片４３の幅寸法を鎖錠片４４の幅寸法よりも狭くしているから、腕部８３と鎖錠片４４の対向面積を広くとることができるようになっている。また、操作部８１を縦溝１５から突出する向きに弾性付勢して解除釦８０を電線が接続されていないときの位置（非接続位置）に復帰させる復帰ばね９０が各収納室１３ａ，１３ｂに収納されている。
【００８７】
復帰ばね９０は、図４６に示すように先端が略直角に折り曲げられ、後端部が略へ字形に折り曲げられた一対のばね片９１と、ばね片９１の後端部の片側側縁より先端側へ突出する固定部９２と、ばね片９１を後端部の側縁で連結する連結片９２とが一体に形成されてなる。固定部９２は先端部が略Ｕ字形に湾曲し、図４７に示すように端子板４１の鎖錠片４４における主片４２近傍の部位に設けられた切り欠きからなる被固定部４６を挟み込んで復帰ばね９０を端子板４１に固定（仮固定）するものである。そして、端子板４１に復帰ばね９０を仮固定した刃受ブロック３０Ａ，３０Ｂを収納室１３ａ，１３ｂ内に収納すると、ボディ１０内壁に端子板４１が当接してばね片９１の後端部が狭持され、復帰ばね９０が端子板４１に本固定される（図３４参照）。さらに解除釦８０を収納室１３ａ，１３ｂ内に配設すれば、復帰ばね９０のばね片９１の先端部が解除釦８０の駆動部８２の先端にそれぞれ当接し、ばね片９１のばね力により、非接続位置（ボディ１０の縦溝１５から操作部８１が突出した位置）に復帰する向きに解除釦８０が弾性付勢される。なお、解除釦８０の器体１に対する抜け止めは、カバー２０の内壁面に駆動部８２に設けた位置決め部８５を当接させることで行われる。ここで、端子板４１には矩形の貫通孔からなり、被固定部４６と対になる被固定部４６’が設けてあり、図４８に示すようにばね片９１を１つだけ備える復帰ばね９０’を用いる場合に、復帰ばね９０’の固定部９２で対となる被固定部４６，４６’を挟み込んで仮固定するようにしているから、２つのばね片９１，９１を一体とした復帰ばね９０とばね片９１を一つだけ具備する復帰ばね９０’の両方が同じ端子板４１に取り付けることが可能となり、部品の共通化によるコストダウンが図れるとともに配線器具の構成の幅を広げることができる。
【００８８】
而して、電線挿入孔１１を通して端子板４１の接触片４３と鎖錠片４４の間に電線を挿入して端子部４０（端子板４１）に電線を接続すると、電線の先端が解除釦８０の駆動部８２の凹所８２ａに形成された傾斜面８２ｂに当接し、電線の挿入力（電線の挿入向きにはたらく力）によって、駆動部８２がカバー２０に近付く向き及び操作部８１が器体１内に進入する向きに解除釦８０が押駆動される。その結果、端子部４０に電線が接続された状態では、操作部８１の一部が器体１内部に引き込まれた位置（接続位置）まで移動することになる。つまり、解除釦８０の操作部８１が非接続位置と接続位置の間で移動自在となっており、操作部８１の位置（非接続位置又は接続位置）によって電線が端子板４１と接続されているか否かを確認することができるのである。
【００８９】
なお、ボディ１０の短手方向両側面における縦溝１５の後端近傍の部位にはボディ１０の短手方向に突出する突部１６が突設されてボディ１０の側面との間に段差が形成されている。すなわち、接続位置において解除釦８０の操作部８１は器体１（ボディ１０）の側面から僅かに突出することになるが、突部１６を設けてボディ１０の側面との間に段差を形成しているため、電線挿入孔１１が開口する器体１（ボディ１０）の底面側から見たときに非接続位置にある解除釦８０の操作部８１が突部１６よりも外側に飛び出して見えるのに対し、接続位置にある解除釦８０の操作部８１は突部１６の陰に隠れて見えなくなり、器体１の底面から見たときの解除釦８０の視認可否によって電線の接続状態が容易に判別できるようになる。また、解除釦８０の操作部８１をボディ１０と異なる色に着色すれば、解除釦８０の位置が視認し易くなるという利点がある。
【００９０】
一方、端子部４０に接続されている電線を引き抜くには、縦溝１５を通して器体１の側面に露出している操作部８１を指で押操作し、接続位置からさらに器体１内部に解除釦８０を移動させると、解除釦８０の腕部８３先端に突設されている押動突部８４で端子板４１の鎖錠部４４ａの先端を押圧することにより、電線に食い込んでいる鎖錠部４４を電線から離すように鎖錠片４４を撓ませて電線の引き抜きが可能となる。また、電線を引き抜いた後に操作部８１の押操作を止めれば、復帰ばね９０のばね力によって解除釦８０が移動し、操作部８１が非接続位置に自動的に復帰する。なお、本実施形態においては、押動突部８４が設けられた解除釦８０の一端側に操作部８１が設けてあるので、解除釦８０の操作位置（操作部８１）と腕部８３との距離が近くなって鎖錠部４４ａを押圧するのに必要な操作量を低減して解除釦８０の操作性が向上するものである。
【００９１】
ところで本実施形態においては、解除釦８０をボディ１０の収納室１３ａ，１３ｂに組み込む際、図４９に示すように押動突部８４を端子板４１における２つの接触片４３の基端間に設けられた係合部４８に係合させて端子板４１に仮止めしている。このとき、係合部４８に対向する鎖錠片４４の鎖錠部４４ａが押動突部８４に当接し、蛍光部４８と鎖錠部４４ａで押動突部８４を狭持して解除釦８０を確実に仮止めするようにしている。つまり、解除釦８０は端子板４１に取り付けられた復帰ばね９０によって付勢されるため、このように仮止めしないと姿勢が安定せずに組み込み作業性が低下することになるからであり、仮止めすることで解除釦８０の組み込み作業性が向上できるものである。なお、押動突部８４の先端部における操作部８１との対向面には先端に向かって操作部８１から離れる向きに傾斜するガイド面８４ａが形成されており（図４５参照）、押動突部８４を係合部４８に係合する際にガイド面８４ａと係合部４８が摺接して押動突部８４が鎖錠部４４ａの方へ案内されるから仮止め作業が容易に行えるものである。そして、解除釦８０をボディ１０に組み込んだ後に端子板４１を解除釦８０の駆動部８２に近づく向き（図４９（ｂ）における上向き）に押すと、係合部４８がガイド面８４ａに摺接しながら反係合向きに移動して押動突部８４との係合が外れ、端子板４１に対する解除釦８０の仮止め状態が解除されることになる。
【００９２】
一方、接地極用の解除釦２００も合成樹脂成型品からなり、図５０に示すように略矩形の操作部２０１と、操作部２０１の一側面における一端から側方へ突出する駆動部２０２と、前記側面における他端から側方へ突出する腕部２０３と、腕部２０３の先端から駆動部２０２の方へ突出する押動突部２０４とが一体に形成されている。腕部２０３は操作部２０１の幅寸法よりも狭い幅寸法に形成されている（図５０（ｂ）参照）。また駆動部２０２は、腕部２０３に比較して操作部２０１からの突出量が大きくなっており、腕部２０３と対向する内側面（図５０（ａ）における下面）には下方及び一側方に開放する凹所２０２ａが形成されている。腕部２０３と対向する凹所２０２ａの底面には、先端から操作部２０１に向かって徐々に腕部２０３から遠ざかる向きに傾斜する傾斜面２０２ｂが形成されている。また、駆動部２０２における復帰ばね９０のばね片９１先端が当接する面２０２ｃを復帰ばね９０の付勢向きにくぼんだ形状としてある。さらに、操作部２０１の駆動部２０２が突出する一端の外側面には、収納室１３ｃに収納されたときに刃受ブロック３０Ｃの刃受３１Ｃを逃がす逃がし部２０５が凹設されており、解除釦２００が刃受３１Ｃと干渉するのを防ぐと同時に解除釦２００と刃受３１Ｃとの距離を近づけて器体１の小型化が図れる（図３４参照）。
【００９３】
ところで、図３２に示すようにボディ１０底面においては、長手方向両端中央の電線挿入孔１１が設けられた部位には後方へ突出する突台部２が設けられ、さらにこれら突台部２の間、すなわちボディ１０底面の略中央にも突台部２よりも僅かに後方へ突出した突台部３が設けられており、この中央の突台部３にボディ１０内の収納室１３ｃに貫通する電線挿入孔１１が設けられている。なお、両端の突台部２はボディ１０の短手方向両側面の中央に突設されている突部１６と一体に形成されている。また、ボディ１０底面中央における突台部２，３に囲まれた部位にはボディ１０の内側にくぼんだ凹所４が設けられ、突台部３の凹所４に臨む側面から凹所４の底面に渡って収納室１３ｃに通じる一対の挿通溝５が形成されている。そして、これらの挿通溝５に操作部２０１を挿通するようにして解除釦２００がボディ１０内の収納室１３ｃにおいて端子板４１’に対向して配設され、端子板４１’に取り付けられた復帰ばね９０により操作部２０１が挿通溝５から突出する向きに弾性付勢されて収納室１３ｃに収納されている。（図５１参照）。なお、解除釦２００をボディ１０に組み込む際に駆動部２０２が端子板４１’から離れる向きに解除釦２００が倒れるのを防止するため、図５１（ａ）に示すようにボディ１０の収納室１３ｃには解除釦２００に当接して支持する倒れ防止手段たるリブ１７が設けられており、解除釦２００の倒れを防いで組立作業性の向上が図られている。
【００９４】
而して、電線挿入孔１１を通して端子板４１’の接触片４３と鎖錠片４４の間に電線を挿入して端子板４１’に電線を接続すると、電線の先端が解除釦２００の駆動部２０２の凹所２０２ａに形成された傾斜面２０２ｂに当接し、電線の挿入力によって、駆動部２０２がカバー２０に近付く向き及び操作部２０１が器体１内に進入する向きに解除釦２００が押駆動される。その結果、端子板４１’に電線が接続された状態では、操作部２０１の一部が器体１内部に引き込まれた位置（接続位置）まで移動することになる（図５１（ｂ）参照）。つまり、解除釦２００の操作部２０１が非接続位置と接続位置の間で移動自在となっており、操作部２０１の位置（非接続位置又は接続位置）によって電線が端子板４１’と接続されているか否かを確認することができる。また、解除釦２００が器体１の前後方向及び長手方向の２つの方向に移動自在としてあるから、１つの方向のみで移動する場合に比較して視認性が向上するものである。なお、解除釦２００の操作部２０１をボディ１０と異なる色に着色すれば、解除釦２００の位置が視認し易くなる。
【００９５】
一方、端子板４１’に接続されている電線を引き抜くには、挿通溝５を通して器体１底面の凹所４に露出している操作部２０１を指で押操作し、接続位置からさらに器体１内部に解除釦２００を移動させると、解除釦２００の腕部２０３先端に突設されている押動突部２０４で端子板４１’の鎖錠部４４ａの先端を押圧することにより、電線に食い込んでいる鎖錠部４４ａを電線から離すように鎖錠片４４を撓ませて電線の引き抜きが可能となる。また、電線を引き抜いた後に操作部２０１の押操作を止めれば、復帰ばね９０のばね力によって解除釦２００が移動し、操作部２０１が非接続位置に自動的に復帰する。なお、凹所４によって操作部２０１を操作するスペースが確保でき、その結果、接地極用の端子部４０が器体１の底面から突出する量、つまり突台部３の器体１底面からの突出量を抑えて器体１の小型化が図れるものである。また本実施形態では、凹所４の周面（突台部２，３の凹所４に臨む側面）を凹所４の底面に向けて凹所４側に傾斜する傾斜面２ａ，３ａとし、凹所４の開口面積を広げて指を入れ易くし解除釦２００の操作性を向上させている。
【００９６】
既に説明したようにカバー２０の前壁にはユニバーサルタイプの差込部２４とＯタイプの差込部２４’が形成されている。そして、ボディ１０とカバー２０との双方に設けた嵌合部６，７に組立部材２１０を凹凸嵌合することでボディ１０とカバー２０とを結合して器体１が組み立てられる。
【００９７】
ボディ１０の短手方向に対向する両側面には、図３２に示すように一対の縦溝１５が設けられた中央部を挟んだ両側に矩形の嵌合部６がそれぞれ突設され、さらに各嵌合部６の前方（図３２（ｂ）における左方）には凹溝８がそれぞれ形成されている。一方、カバー２０の短手方向の両側面には、図３３に示すようボディ１０の縦溝１５と連通する一対の挿通溝２１が長手方向の中央部に設けられるとともに挿通溝２１を挟んだ両側にボディ１０の嵌合部６と同形状且つ同寸法の嵌合部７がそれぞれ突設されている。そして、ボディ１０の開口面にカバー２０を突き合わせた状態では、それぞれの嵌合部６，７が凹溝８を挟んで一列に配置されることになる。
【００９８】
組立部材２１０は弾性を有する合成樹脂成型品からなり、図２９及び図３０に示すように嵌合部６，７と各々嵌合する一対の嵌合孔２１１が器体１の前後方向（図２９における上下方向）に並設された短冊状の一対の結合片２１２と、両結合片２１２の先端にそれぞれ端部が連結された帯状の横片２１３とを有する略コ字形に形成され、器体１と対向する結合片２１２の背面側において嵌合孔２１１に挟まれた略中央部からは先端に係止爪２１４ａを有する係止突片２１４が背方へ突設されている。また、各嵌合片２１１には取付枠やプレートの係合孔と係合する取付爪２１５が嵌合孔２１１と一列に並ぶように外向きに突設されている。
【００９９】
一方、カバー２０には、ボディ１０の凹溝８から挿入される組立部材２１０の係止突片２１４先端部に設けた係止爪２１４ａが係止する被係止部２６が短手方向に対向する両側壁に形成されている（図３３参照）。なお、カバー２０の両側壁の内側における嵌合部７近傍には内側に向かうにつれて後方へ傾斜して係止爪２１４ａを被係止部２６に案内するガイド面２７が形成されている。
【０１００】
而して、ボディ１０とカバー２０とを結合して器体１を組み立てるには、ボディ１０とカバー２０を開口面側で突き合わせた状態で係止突片２１４を凹溝８に挿入するように組立部材２１０を器体１の短手方向両側面の方へ押しつければ、組立部材２１０の各嵌合孔２１１にボディ１０及びカバー２０の嵌合部６，７がそれぞれ嵌合してボディ１０とカバー２０とが結合されると同時に、係止突片２１４の先端に設けた係止爪２１４ａがカバー２０のガイド面２７に沿うように係止突片２１４が後方（ボディ１０側）に撓み、やがて係止爪２１４ａがカバー２０の被係止部２６に係止することによって、組立部材２１０の嵌合部６，７からの脱落が防止できる。なお、横片２１３の中央部は器体１の側面に露出する解除釦８０を逃げるために屈曲させてある。
【０１０１】
ところで、カバー２０の内部にはユニバーサルタイプの差込部２４を開閉自在に閉塞する第１の扉２４０と、Ｏタイプの差込部２４’を開閉自在に閉塞する第２の扉２５０と、ボディ１０前面とカバー２０の前壁との間に配設され、第１及び第２の扉２４０，２５０をカバー２０の内側に収納するようにしてスライド移動自在に支持する中枠２６０とが納められる。すなわち、差込部２４，２４’に差し込まれた栓刃の先端に押されて第１及び第２の扉２４０，２５０が中枠２６０に支持された状態でスライド移動することで差込部２４，２４’を開き、中枠２６０に貫設されている栓刃挿通孔２６１等を通して栓刃が刃受３１Ａ，３１Ｂに接続可能となる。また、栓刃を差込部２４，２４’から引き抜くとコイルばねからなる復帰ばね２５４によって第１及び第２の扉２４０，２５０がスライド移動して元の位置、すなわち差込部２４，２４’を閉じる位置に復帰し、プラグの栓刃以外の異物が差込部２４，２４’に差し込まれるのを防ぐことができる。
【０１０２】
また、本実施形態も実施形態１と同様にプレート１００を用いて壁面などの造営面に埋込配設される。このとき、器体１背面の突台部３が凹所４に対して鉛直上方に位置する向き、すなわち、ユニバーサルタイプの差込部２４がＯタイプの差込部２４’の上に位置する向きに埋込配設された場合、凹所４の鉛直上方が突台部３（端子部）によって遮られるため、埃などが凹所４に溜まるのを抑えることができる。また、施工現場においてはプレート枠１１０に器体１を取り付けた状態で電線を接続する場合があるが、この場合に器体１から突出している解除釦８０の操作部８１がプレート枠１１０に干渉して正規の非接続位置まで移動できないと電線の接続作業が困難になる虞がある。そこで本実施形態では、解除釦８０の駆動部８２の背面（縦溝１５から器体１の外に露出する面）を傾斜させることでプレート枠１１０を逃げるようにしている（図５２参照）。
【０１０３】
ところで、電圧極用の解除釦８０は非接続位置において器体１の外へ突出しているため、実際に施工されるまでの間に解除釦８０と器体１とのすきまから埃が進入する虞がある。そこで、実際に施工されるまでの間だけ、図５３（ａ）に示すように円筒形の軸部２８１の後端に軸部２８１よりも径の大きい円盤状の頭部２８２が設けられた固定ピン２８０を電線挿入孔１１に挿入して解除釦８０を接続位置に固定すれば、解除釦８０と器体１のすきまが狭められるから埃の進入を抑えることができる（図５３（ｂ）参照）。そして、実際の施工時には固定ピン２８０を抜いて電線を接続すればよい。
【０１０４】
（実施形態３）
実施形態２はユニバーサルタイプの差込部２４とＯタイプの接地極付きの差込部２４’を３個モジュールの器体１に備えるものであったが、本実施形態は、図５４〜図５６に示すようにＯタイプの接地極付きの差込部２４’を３個モジュールの器体１に２つ備えたものである。
【０１０５】
図５７に示すように、ボディ１０の内部は仕切壁１２により内部空間が３分されており、カバー２０内に収納される中枠２６０’でボディ１０の前面が覆われることによって器体１の内部空間が独立した３つの収納室１３ａ，１３ｂ，１３ｃに分割される。また、両端の収納室１３ａ，１３ｂはスリット１２ａを有した一対の仕切壁１２ｂによりさらにボディ１０の長手方向に沿って３室に分割されている。
【０１０６】
ボディ１０内において両端の収納室１３ａ，１３ｂには電圧極用の刃受ブロック３０Ａ，３０Ｂがそれぞれ収納される。刃受ブロック３０Ａ，３０Ｂは、端子板４１の固定片４５にそれぞれＯタイプの刃受３１Ｂがそれぞれ固定されて構成され、各刃受３１Ｂを長手方向両端の区画にそれぞれ収納し、端子板４１を長手方向中央の区画に収納するようにしてボディ１０両端の収納室１３ａ，１３ｂに納められる。
【０１０７】
一方、ボディ１０内において中央の収納室１３ｃには接地極用の刃受ブロック３０Ｃが収納される。この刃受ブロック３０Ｃは、Ｏタイプの２つの刃受３１Ｂが脚片３５によって連結され、この脚片３５に設けられた結合片３６で端子板４１’に固定される。すなわち、結合片３６に貫設されている位置決め用孔３６ｂに端子板４１’の主片４２に突設されている位置決め突起４２ｂを嵌合して端子板４１’と刃受３１Ｃを位置決めするとともに、結合片３６に突設されているかしめ用突起３６ａを主片４２に貫設されているかしめ用孔４２ａに挿通してかしめることで端子板４１’の主片４２と刃受３１Ｃの結合片３６が結合されて刃受ブロック３０Ｃが構成される。
【０１０８】
なお、図５９（ａ）に示すように刃受３１Ｂと端子板４１を金属部材を加工して一体に形成すれば、かしめ等の結合作業が不要となる利点がある。ここで、刃受３１Ｂの構造として、例えば、図５９（ａ）に示すように一対の刃受ばね３２をその後端縁、すなわち栓刃の差込方向において栓刃の先端に連結片３４が対向するように連結する構造や、図５９（ｂ）に示すように一対の刃受ばね３２をその側端縁、すなわち連結片３４が栓刃の差込方向に沿うように連結する構造が考えられるが、前者の構造では後者の構造に比較して刃受ばね３２のばね性において優れ、後者の構造では前者の構造に比較して金属部材から打ち抜き加工する際の所謂板取りにおいて優れており、必要な性能に鑑みて何れかの構造を適宜選択して組み合わせればよい。
【０１０９】
各収納室１３ａ〜１３ｃには端子板４１，４１’とともに解除釦８０，２００が収納されて端子部４０が構成されるが、これら端子部４０の構成は実施形態２と共通であるから説明を省略する。
【０１１０】
本実施形態における組立部材２２０は弾性を有する合成樹脂成型品からなり、図６０に示すように嵌合部６，７と嵌合する一対の嵌合孔２２１が器体１の前後方向（図６０における上下方向）に並設された短冊状に形成され、器体１と対向する背面側において嵌合孔２２１に挟まれた略中央部からは先端に係止爪２２４ａを有する係止突片２２４が背方へ突設されるとともに、取付枠やプレートの係合孔と係合する取付爪２２５が嵌合孔２２１と一列に並ぶように外向きに突設されている。
【０１１１】
而して、ボディ１０とカバー２０を開口面側で突き合わせた状態で係止突片２１４を凹溝８に挿入するように組立部材２２０を器体１の短手方向両側面の方へ押しつければ、組立部材２２０の各嵌合孔２２１にボディ１０及びカバー２０の嵌合部６，７がそれぞれ嵌合してボディ１０とカバー２０とが結合されると同時に、係止突片２２４の先端に設けた係止爪２２４ａがカバー２０のガイド面２７に沿うように係止突片２２４が後方（ボディ１０側）に撓み、やがて係止爪２２４ａがカバー２０の被係止部２６に係止することによって、組立部材２２０の嵌合部６，７からの脱落が防止できる。
【０１１２】
また、カバー２０の内部にはＯタイプの差込部２４’を開閉自在に閉塞する２つの扉２５０と、ボディ１０前面とカバー２０の前壁との間に配設され、扉２５０をカバー２０の内側に収納するようにしてスライド移動自在に支持する中枠２６０’とが納められる。すなわち、差込部２４’に差し込まれた栓刃の先端に押されて扉２５０が中枠２６０’に支持された状態でスライド移動することで差込部２４’を開き、中枠２６０’に貫設されている栓刃挿通孔２６１’を通して栓刃が刃受３１Ｂに接続可能となる。また、栓刃を差込部２４’から引き抜くとコイルばねからなる復帰ばね２５４によって扉２５０がスライド移動して元の位置、すなわち差込部２４’を閉じる位置に復帰し、プラグの栓刃以外の異物が差込部２４’に差し込まれるのを防ぐことができる。
【０１１３】
なお、図６１に示すように組立部材２２０の取付爪２２５が設けられている側の端部の幅寸法を他の部位の幅寸法よりも狭くすれば、ボディ１０及びカバー２０に対する組立部材２２０の嵌合向きが分かり易くなり作業性が向上するという利点がある。
【０１１４】
（実施形態４）
実施形態３はＯタイプの接地極付きの差込部２４’を３個モジュールの器体１に２つ備えるものであったが、本実施形態は、図６２〜図６４に示すようにＯタイプの接地極付きの差込部２４’を２個モジュールの器体１に１つだけ備えたものである。
【０１１５】
図６５に示すように、ボディ１０の内部は仕切壁１２により内部空間が３分されており、カバー２０内に収納される中枠２６０”でボディ１０の前面が覆われることによって器体１の内部空間が独立した３つの収納室１３ａ，１３ｂ，１３ｃに分割される。また、両端の収納室１３ａ，１３ｂはスリット１２ａを有した一対の仕切壁１２ｂによりさらにボディ１０の長手方向に沿って２室に分割されている。
【０１１６】
ボディ１０内において両端の収納室１３ａ，１３ｂには電圧極用の刃受ブロック３０Ａ，３０Ｂがそれぞれ収納される。刃受ブロック３０Ａ，３０Ｂは、端子板４１の片方の固定片４５にＯタイプの刃受３１Ｂが固定されて構成され、各刃受３１Ｂを長手方向両端の区画にそれぞれ収納し、端子板４１を長手方向中央の区画に収納するようにしてボディ１０両端の収納室１３ａ，１３ｂに納められる。
【０１１７】
一方、ボディ１０内において中央の収納室１３ｃには接地極用の刃受ブロック３０Ｃが収納される。但し、この刃受ブロック３０Ｃは実施形態２における刃受ブロック３０Ｃと同一構成のものである。なお、図６７（ａ）に示すように刃受３１Ｂと端子板４１を金属部材を加工して一体に形成すれば、かしめ等の結合作業が不要となる利点がある。ここで、刃受３１Ｂの構造として、例えば、図６７（ａ）に示すように一対の刃受ばね３２をその後端縁、すなわち栓刃の差込方向において栓刃の先端に連結片３４が対向するように連結する構造や、図６７（ｂ）に示すように一対の刃受ばね３２をその側端縁、すなわち連結片３４が栓刃の差込方向に沿うように連結する構造が考えられるが、前者の構造では後者の構造に比較して刃受ばね３２のばね性において優れ、後者の構造では前者の構造に比較して金属部材から打ち抜き加工する際の所謂板取りにおいて優れており、必要な性能に鑑みて何れかの構造を適宜選択して組み合わせればよい。
【０１１８】
各収納室１３ａ〜１３ｃには端子板４１，４１’とともに解除釦８０，２００が収納されて端子部４０が構成されるが、これら端子部４０の構成は実施形態２と共通であるから説明を省略する。
【０１１９】
ここで、本実施形態における組立部材２２０は実施形態３と同一のものが使用できる。すなわち、組立部材２２０は取付枠やプレートの係合孔と係合する取付爪２２５が嵌合孔２２１と一列に並ぶように外向きに突設されて構成されるものであるから、器体１の短手方向両側面においてプレート枠１１０の保持溝１１４ａ，１１５ａに応じた位置に嵌合部６，７及び凹溝８を設けることで３個モジュールの器体１と２個モジュールの器体１とで組立部材２２０を共用することができ、それぞれに専用の組立部材を使用する場合に比較して部品種の削減によるコストダウンが図れるものである。
【０１２０】
また、カバー２０の内部にはＯタイプの差込部２４’を開閉自在に閉塞する扉２５０と、ボディ１０前面とカバー２０の前壁との間に配設され、扉２５０をカバー２０の内側に収納するようにしてスライド移動自在に支持する中枠２６０”とが納められる。すなわち、差込部２４’に差し込まれた栓刃の先端に押されて扉２５０が中枠２６０”に支持された状態でスライド移動することで差込部２４’を開き、中枠２６０”に貫設されている栓刃挿通孔２６１”を通して栓刃が刃受３１Ｂに接続可能となる。また、栓刃を差込部２４’から引き抜くと復帰ばね２５４によって扉２５０がスライド移動して元の位置、すなわち差込部２４’を閉じる位置に復帰し、プラグの栓刃以外の異物が差込部２４’に差し込まれるのを防ぐことができる。
【０１２１】
ところで、実施形態１〜４の端子部４０において、例えば解除釦６０の操作時に押圧突部６４から端子板４１の鎖錠片４４に加えられる押圧力は鎖錠片４４の幅方向における片側に偏っているから、鎖錠片４４は押圧方向に歪みながら撓むことになり、鎖錠部４４ａを電線から引き離すために余計に押圧力が必要になっている。そこで、図６８（ａ）に示すように接触片４３を鎖錠片４４の幅方向における略中央に対向する位置に設けるとともに、同図（ｂ）に示すように解除釦６０の操作部６１から先端部に押動突部６４が突設された２つの腕部６３を略平行に突設し、接触片４３の両側にできるスペースに各腕部６３を配置して２つの押動突部６４により鎖錠片４４の両端を同時に押圧する構成とすればよい。このような構成を採用すれば、鎖錠片４４にバランスよく押圧力を加えることができるから、片側を押圧する場合に比較して鎖錠片４４の歪みが抑えられて解除釦６０の操作性が向上するものである。
【０１２２】
【発明の効果】
請求項１の発明は、配線器具の器体に貫設した電線挿入孔を通して器体に導入される電線に接触する端子板と、電線と端子板を接続する接続手段と、接続手段による接続状態を解除する解除手段とを備え、接続手段は、端子板の方へ突出し端子板との間に挿入される電線を端子板に押圧する押圧部と、先端が電線の一部に食い込んで反挿入方向へ電線を抜け止めする鎖錠部とを有し、解除手段は、操作されたときに鎖錠部の先端を押動して電線から引き離す押動突部を有することを特徴とし、鎖錠部を電線から引き離す際に鎖錠部の先端に押動突部からの押圧力がかかるため、電線の接続状態を解除する際に鎖錠部が変形するのを防ぐことができる。
【０１２３】
請求項２の発明は、請求項１の発明において、解除手段は、器体の表面に露出して手動操作される操作部並びに前記押動突部を有し、接続手段により電線が端子板に接続された接続状態のときの接続位置と電線が端子板に接続されていない非接続状態のときの非接続位置との間で移動自在に器体に配設される解除釦と、解除釦を接続位置から非接続位置に弾性付勢する付勢部材とを具備することを特徴とし、接続手段により電線が端子板に接続されると解除釦が非接続位置から接続位置に移動するため、解除釦の位置によって電線が端子板と接続されたか否かを確認することができ、しかも、電線を取り外すと付勢部材によって弾性付勢されている解除釦が接続位置から非接続位置に復帰するため、解除釦を非接続位置に復帰させる手間が要らず何度でも電線を抜き差しすることができる。
【０１２４】
請求項３の発明は、請求項２の発明において、解除釦は、一端側に押動突部が設けられ、他端側が支持されて揺動自在に器体に配設されたことを特徴とし、解除釦の揺動範囲が大きくとれるから操作性並びに視認性が向上する。
【０１２５】
請求項４の発明は、請求項２又は３の発明において、解除釦の付勢部材が当接する部位を付勢部材による付勢向きにくぼませたことを特徴とし、解除釦の移動量が同じであっても付勢部材の変位量を減らすことができ、付勢部材のへたりを軽減することができる。
【０１２６】
請求項５の発明は、請求項２又は３又は４の発明において、押動突部が設けられた解除釦の一端側に操作部が設けられたことを特徴とし、鎖錠部を押動するのに必要な操作量を低減して操作性が向上する。
【０１２７】
請求項６の発明は、請求項２又は３又は４の発明において、解除釦の操作部以外の部位であって器体の外に露出する部位に、配線器具が取り付けられる取付部材に対する逃げが設けられたことを特徴とし、取付部材との干渉を防いで解除釦の視認性が低下するのと防ぐことができる。。
【０１２８】
請求項７の発明は、請求項１〜６の何れかの発明において、押動突部と係合して解除釦を仮止めする係合部が端子板に設けられたことを特徴とし、端子板に解除釦を仮止めすることで器体への解除釦の組み込み作業が容易に行える。
【０１２９】
請求項８の発明は、請求項７の発明において、押動突部を係合部へ係合する向き並びに係合部との係合が外れる向きに案内するガイド面が押動突部に設けられたことを特徴とし、解除釦を端子板に仮止めする際に及び器体への組み込み後に仮止めを解除する際の作業性が向上する。
【０１３０】
請求項９の発明は、請求項２の発明において、少なくとも電線挿入孔が開口する器体の一面から見たときに非接続位置の解除釦を視認可とし接続位置の解除釦を視認不可とする段差が器体に設けられたことを特徴とし、解除釦の視認可否によって電線が接続されているか否かが簡単に判別できる。
【０１３１】
請求項１０の発明は、請求項３の発明において、解除釦を複数の方向で移動自在としたことを特徴とし、解除釦の視認性がさらに向上する。
【０１３２】
請求項１１の発明は、請求項１０の発明において、解除釦の反操作方向への倒れを防ぐ倒れ防止手段を備えたことを特徴とし、解除釦の倒れを防いで組立の作業性が向上する。
【０１３３】
請求項１２の発明は、請求項１０又は１１の発明において、器体に収納される配線部材を逃がす逃がし部が解除釦に設けられたことを特徴とし、器体の小型化が図れる。
【０１３４】
請求項１３の発明は、請求項１の発明において、解除釦は、鎖錠部の押動方向と直交する方向の両端部近傍をそれぞれ押動する複数の押動突部が設けられてなることを特徴とし、鎖錠部に対して押圧力を均等にはたらかせることができて解除釦の操作性が向上する。
【０１３５】
請求項１４の発明は、請求項２の発明において、端子板を挟み込んで端子板に固定される固定部が付勢部材に設けられたことを特徴とし、付勢部材の組み込み作業が容易に行える。
【０１３６】
請求項１５の発明は、請求項１４の発明において、それぞれに電線が接続される２つの端子板が一体に形成され、個々の端子板に対応する２つの解除釦を弾性付勢する２つの付勢部材を有し、個別に形成された付勢部材の固定部が固定される被固定部と、２つが一体に形成された付勢部材の固定部が固定される被固定部とが端子板に設けられたことを特徴とし、付勢部材が個別に形成されている場合あるいは一体に形成されている場合の何れにも対応可能となり、部品の共通化によるコストダウンが図れるとともに配線器具の構成の幅を広げることができる。。
【０１３７】
請求項１６の発明は、上記目的を達成するために、施工面に設けられる埋込孔に後部を埋め込む形で配設される器体と、器体に収納される請求項１〜１５の何れかに記載された速結端子装置と、器体の側面に設けられ埋込孔の周りに設置される取付枠又は取付枠一体型のプレートに器体を取り付ける取付手段とを備えたことを特徴とし、請求項１〜１６の何れかに記載された発明の効果を奏する配線器具が実現できる。
【０１３８】
請求項１７の発明は、請求項１６の発明において、施工されるまでの間だけ器体の電線挿入孔に挿入されて解除釦を接続位置に固定する固定ピンを備えたことを特徴とし、固定ピンにより解除釦を接続位置に固定することで解除釦と器体のすきまから埃が進入するといった不具合の発生を抑えることができる。
【図面の簡単な説明】
【図１】実施形態１の分解斜視図である。
【図２】同上を示し、（ａ）は正面図、（ｂ）は右側面図、（ｃ）は下面図、（ｄ）は背面図である。
【図３】同上の斜視図である。
【図４】同上におけるボディを示し、（ａ）は正面図、（ｂ）は下面図、（ｃ）は背面図、（ｄ）は右側面図である。
【図５】同上におけるカバーを示し、（ａ）は正面図、（ｂ）は下面図、（ｃ）は右側面図、（ｄ）は背面図である。
【図６】同上における組立部材を示し、（ａ）は正面図、（ｂ）は右側面図、（ｃ）は上面図である。
【図７】同上における刃受を示し、（ａ）は正面図、（ｂ）は下面図、（ｃ）は右側面図である。
【図８】同上における端子板を示し、（ａ）は正面図、（ｂ）は下面図、（ｃ）は右側面図である。
【図９】同上における解除釦を示し、（ａ）は正面図、（ｂ）は下面図、（ｃ）は右側面図である。
【図１０】同上における復帰ばねを示し、（ａ）は正面図、（ｂ）は右側面図、（ｃ）は上面図である。
【図１１】同上における中枠を示し、（ａ）は正面図、（ｂ）は上面図、（ｃ）は右側面図である。
【図１２】同上における扉を示し、（ａ）は正面図、（ｂ）は上面図、（ｃ）は右側面図である。
【図１３】同上の端子板に電線が接続された状態を示す要部断面図である。
【図１４】同上における端子板の説明図である。
【図１５】同上における他の構成の端子板を示す斜視図である。
【図１６】同上におけるさらに他の構成の端子板を示し、（ａ）は斜視図、（ｂ）は電線を接続した状態の側面図である。
【図１７】同上における別の構成の端子板を示す側面図である。
【図１８】同上の端子板に電線が接続された状態を示す要部断面図である。
【図１９】同上におけるさらに別の構成の端子板を示し、（ａ）は分解斜視図、（ｂ）は斜視図である。
【図２０】同上における端子板と復帰ばねの固定方法を説明する図である。
【図２１】同上における解除釦の要部側面図である。
【図２２】同上における端子板と復帰ばねの他の固定方法を説明する図である。
【図２３】同上の背面図である。
【図２４】同上におけるボディとカバーの結合方法を説明する図である。
【図２５】同上におけるボディとカバーの他の結合方法を説明する図である。
【図２６】同上が取り付けられるプレートの正面から見た分解斜視図である。
【図２７】同上が取り付けられるプレートの背面から見た分解斜視図である。
【図２８】同上の器体をプレート枠に取り付ける手順を説明する説明図である。
【図２９】実施形態２の分解斜視図である。
【図３０】同上を示し、（ａ）は正面図、（ｂ）は右側面図、（ｃ）は下面図、（ｄ）は背面図である。
【図３１】同上の斜視図である。
【図３２】同上におけるボディを示し、（ａ）は正面図、（ｂ）は右側面図、（ｃ）は背面図、（ｄ）は下断面図、（ｅ）は下面図である。
【図３３】同上におけるカバーを示し、（ａ）は正面図、（ｂ）は左側面図、（ｃ）は背面図、（ｄ）は上面図、（ｅ）は上断面図である。
【図３４】同上のカバーを外した状態の正面図である。
【図３５】同上におけるユニバーサルタイプの刃受を示し、（ａ）は正面図、（ｂ）は上面図、（ｃ）は左側面図、（ｄ）は下面図、（ｅ）は右側面図、（ｆ）は背面図である。
【図３６】同上におけるＯタイプの電圧極用の刃受を示し、（ａ）は正面図、（ｂ）は上面図、（ｃ）は左側面図、（ｄ）は下面図、（ｅ）は右側面図である。
【図３７】同上における電圧極用の端子板を示し、（ａ）は正面図、（ｂ）は左側面図、（ｃ）は右側面図、（ｄ）は上面図である。
【図３８】同上におけるＯタイプの接地極用の刃受を示し、（ａ）は正面図、（ｂ）は上面図、（ｃ）は右側面図である。
【図３９】同上における接地極用の端子板を示し、（ａ）は正面図、（ｂ）は左側面図、（ｃ）は上面図、（ｄ）は右側面図である。
【図４０】同上における接地極用の端子板を説明する説明図である。
【図４１】同上における電圧極用の刃受ブロックを一体型とした斜視図である。
【図４２】（ａ）〜（ｃ）は同上の一体型の刃受ブロックにおける刃受の構造を示す斜視図である。
【図４３】同上における他の構成の端子板を示す斜視図である。
【図４４】同上における他の構成のボディを示す一部省略した背面図である。
【図４５】同上における電圧極用の解除釦を示し、（ａ）は正面図、（ｂ）は上面図、（ｃ）は右側面図である。
【図４６】同上における復帰ばねを示し、（ａ）は正面図、（ｂ）は上面図、（ｃ）は右側面図である。
【図４７】同上における端子板と復帰ばねの固定方法を説明する図である。
【図４８】同上における端子板と他の構成の復帰ばねの固定方法を説明する図である。
【図４９】同上における解除釦の組み込み作業を説明する説明図である。
【図５０】同上における接地極用の解除釦を示し、（ａ）は正面図、（ｂ）は上面図、（ｃ）は右側面図である。
【図５１】同上における接地極用の端子部を示し、（ａ）は非接続位置の要部断面図、（ｂ）は接続位置の要部断面図である。
【図５２】同上の器体をプレート枠に取り付けた状態の要部断面図である。
【図５３】同上における固定ピンの説明図である。
【図５４】実施形態３の分解斜視図である。
【図５５】同上を示し、（ａ）は正面図、（ｂ）は右側面図、（ｃ）は下面図、（ｄ）は背面図である。
【図５６】同上の斜視図である。
【図５７】同上におけるボディを示し、（ａ）は正面図、（ｂ）は下面図、（ｃ）は右側面図、（ｄ）は背面図である。
【図５８】同上におけるカバーを示し、（ａ）は正面図、（ｂ）は左側面図、（ｃ）は背面図、（ｄ）は下面図である。
【図５９】（ａ）は同上における電圧極用の刃受ブロックを一体型とした斜視図、（ｂ）は一体型の刃受ブロックにおける刃受の構造を示す斜視図である。
【図６０】同上における組立部材を示す斜視図である。
【図６１】同上における他の構成の組立部材を示し、（ａ）は正面図、（ｂ）は右側面図、（ｃ）は上面図である。
【図６２】実施形態４の分解斜視図である。
【図６３】同上を示し、（ａ）は正面図、（ｂ）は右側面図、（ｃ）は下面図、（ｄ）は背面図である。
【図６４】同上の斜視図である。
【図６５】同上におけるボディを示し、（ａ）は正面図、（ｂ）は下面図、（ｃ）は右側面図、（ｄ）は背面図である。
【図６６】同上におけるカバーを示し、（ａ）は正面図、（ｂ）は下面図、（ｃ）は右側面図、（ｄ）は背面図である。
【図６７】（ａ）は同上における電圧極用の刃受ブロックを一体型とした斜視図、（ｂ）は一体型の刃受ブロックにおける刃受の構造を示す斜視図である。
【図６８】（ａ）は別の構成の端子板を示す斜視図、（ｂ）は別の構成の解除釦を示す斜視図である。
【図６９】従来例の要部を示す断面図である。
【図７０】同上における電線の取り外し作業を説明するための説明図である。
【図７１】同上における電線と端子板との接続構成を説明する説明図である。
【符号の説明】
１  器体
４０  端子部
４１  端子板
４３  接触片
４３ａ  接触部
４３ｂ  押圧部
４３ｃ  押圧部
４４  鎖錠片
４４ａ  鎖錠部
６０  解除釦
６１  操作部
６４  押動突部
【図１】
2004178941.tif 000003
【図２】
2004178941.tif 000004
【図３】
2004178941.tif 000005
【図４】
2004178941.tif 000006
【図５】
2004178941.tif 000007
【図６】
2004178941.tif 000008
【図７】
2004178941.tif 000009
【図８】
2004178941.tif 000010
【図９】
2004178941.tif 000011
【図１０】
2004178941.tif 000012
【図１１】
2004178941.tif 000013
【図１２】
2004178941.tif 000014
【図１３】
2004178941.tif 000015
【図１４】
2004178941.tif 000016
【図１５】
2004178941.tif 000017
【図１６】
2004178941.tif 000018
【図１７】
2004178941.tif 000019
【図１８】
2004178941.tif 000020
【図１９】
2004178941.tif 000021
【図２０】
2004178941.tif 000022
【図２１】
2004178941.tif 000023
【図２２】
2004178941.tif 000024
【図２３】
2004178941.tif 000025
【図２４】
2004178941.tif 000026
【図２５】
2004178941.tif 000027
【図２６】
2004178941.tif 000028
【図２７】
2004178941.tif 000029
【図２８】
2004178941.tif 000030
【図２９】
2004178941.tif 000031
【図３０】
2004178941.tif 000032
【図３１】
2004178941.tif 000033
【図３２】
2004178941.tif 000034
【図３３】
2004178941.tif 000035
【図３４】
2004178941.tif 000036
【図３５】
2004178941.tif 000037
【図３６】
2004178941.tif 000038
【図３７】
2004178941.tif 000039
【図３８】
2004178941.tif 000040
【図３９】
2004178941.tif 000041
【図４０】
2004178941.tif 000042
【図４１】
2004178941.tif 000043
【図４２】
2004178941.tif 000044
【図４３】
2004178941.tif 000045
【図４４】
2004178941.tif 000046
【図４５】
2004178941.tif 000047
【図４６】
2004178941.tif 000048
【図４７】
2004178941.tif 000049
【図４８】
2004178941.tif 000050
【図４９】
2004178941.tif 000051
【図５０】
2004178941.tif 000052
【図５１】
2004178941.tif 000053
【図５２】
2004178941.tif 000054
【図５３】
2004178941.tif 000055
【図５４】
2004178941.tif 000056
【図５５】
2004178941.tif 000057
【図５６】
2004178941.tif 000058
【図５７】
2004178941.tif 000059
【図５８】
2004178941.tif 000060
【図５９】
2004178941.tif 000061
【図６０】
2004178941.tif 000062
【図６１】
2004178941.tif 000063
【図６２】
2004178941.tif 000064
【図６３】
2004178941.tif 000065
【図６４】
2004178941.tif 000066
【図６５】
2004178941.tif 000067
【図６６】
2004178941.tif 000068
【図６７】
2004178941.tif 000069
【図６８】
2004178941.tif 000070
【図６９】
2004178941.tif 000071
【図７０】
2004178941.tif 000072
【図７１】
2004178941.tif 000073